(57)【特許請求の範囲】
【請求項１】
同じ原稿に対して多数のプリント注文がある時のプリントを作成するための写真プリントの生産設備において、
作成されたプリントを複数のビンに分けて収容するソータと、
前記多数のプリント注文を１組がソータのビン数以下のプリント注文となるように複数の組に分割し、分割された組毎にプリント注文を集計して、プリント注文小計を求める受注受付処理装置と、
前記プリント注文小計に基づき、分割された組毎にプリントを作成するコピー機とを有することを特徴とする写真プリントの生産設備。
【請求項２】
さらに、前記原稿の各駒のプリントを作成する条件であるプリント作成条件を求め、記憶媒体に記憶させるプレ判定手段を有し、
前記受注受付処理装置が、前記記憶媒体に分割された組毎のプリント注文小計を記憶させるものであり、
前記コピー機が、前記記憶媒体に記憶されたプリント作成条件と分割された組毎のプリント注文小計とに基づき、プリントを作成するものであることを特徴とする請求項１に記載の写真プリントの生産設備。
【請求項３】
同じ原稿に対して多数のプリント注文がある時のプリントを作成する写真プリントの生産方法において、
前記多数のプリント注文を、１組がソータのビン数以下のプリント注文となるように、複数の組に分割し、
分割された組毎にプリントを作成し、
分割された組毎に作成されたプリントを、前記ソータにより仕分けることを特徴とする写真プリントの生産方法。
【請求項４】
同じ原稿に対して多数のプリント注文がある時のプリントを作成するための写真プリントの生産設備において、
前記多数のプリント注文を、１組がソータのビン数以下のプリント注文となるように、複数の組に分割した組毎に、プリントを作成するコピー機と、
前記コピー機により作成されたプリントを仕分けるソータと、を有することを特徴とする写真プリントの生産設備。
【発明の詳細な説明】
【０００１】
【産業上の利用分野】
本発明は、写真プリントの生産方法および生産設備および受注シートおよび受注処理方法に関するもので、特に、写真業界におけるラボにおける学校や団体の行事写真などの処理に最適な発明である。なお、本発明の属する技術分野においては、多義語が多いので、また、発明を過不足なく表現するのに当業者における共通の言葉が不足しているので造語したので、課題を解決するための手段欄にこれらの言葉を説明した。
【０００２】
【従来の技術】
従来から現在に至るまで、学校や団体の行事写真などの写真のプリントは、一般的には、図１に示すような流れで行われる。なお、ここで説明されていることは、理解のために一例を記載しているのであり、本件出願の発明の技術的範囲はこれにより限定されない。
【０００３】
ステップＳ０１で、団体や学校で行事の計画が立てられ、写真館やＤＰ店などに写真撮影を依頼するか決められる。そして、団体や学校が写真館やＤＰ店などに写真撮影を依頼すると、ステップＳ０２で、写真館またはＤＰ店などがカメラマンの派遣や何枚程度写真を撮影するかなどの段取りを決める。ステップＳ０３で、行事で段取りに基づいて写真撮影が行われる。ステップＳ０４で、撮影されたフィルムは回収され、ラボに送られる。ステップＳ０５では、ラボは、送られたフィルムを現像処理し、処理されたフィルムをロールフィルムにして、このロールフィルムから見本プリントを作成する。そして、作成された見本プリントを順に貼り並べ、それぞれの見本プリントの傍に通し番号を付した図２に示すような見本パネルを作成する。また、その時のプリント条件を記憶したフロッピーディスクとロールフィルムは、注文プリントの時のためにラボに保管される。そして、作成された見本パネルは写真館またはＤＰ店などに送られる。ステップＳ０６で、写真館またはＤＰ店などは、見本パネルを学校や団体に渡す。この時、注文伝票として写真注文袋も学校や団体に渡す。
【０００４】
ここで、写真注文袋は、図１６に示すように、プリント注文を識別するプリント注文識別情報とプリント注文情報が記入できるようになっている。プリント注文識別情報は、プリント注文を識別するためのもので、注文者の所属（図１６では、学校・学年・クラス・番号）、注文者の名前（漢字・ふりがな）からなっている。また、プリント注文情報は前述したように、プリントを注文する駒の番号とその駒のプリント注文枚数からなっている。また、写真注文袋は、プリントを多数収容できる大きさの袋で、プリント注文されたプリントを収容して注文者に引き渡すための袋としても使われる。
【０００５】
ステップＳ０７で、学校や団体は各人に写真注文袋を渡し、見本パネルを展示する。ステップＳ０８で、生徒や団体の所属員などの注文者が写真注文袋に各人の名前や各人の注文したい写真の番号などを記入して、注文を回収しにきた写真館またはＤＰ店などに渡す。ステップＳ０９で、回収された写真注文袋はラボに渡される。ステップＳ１０で、ラボでは、渡された写真注文袋を基に、プリント条件を記憶したフロッピーディスクとロールフィルムから、注文プリントを作成し、写真注文袋毎に仕分けし、写真注文袋に袋詰めをして、写真館またはＤＰ店などに納品する。この時、写真館またはＤＰ店などが保管し易いようにロールフィルムもカットフィルムにして納品する。ステップＳ１１で、写真館またはＤＰ店などは、仕分けされ袋詰めされた写真を学校や団体に納品する。そして、ステップＳ１２で、学校や団体は各人へ納品された写真を配付する。そして、各人から不良プリントやプリントの不足などでクレームがあると、ステップＳ１３で、写真館またはＤＰ店などが保持するミニラボ機でカットフィルムから焼き増し処理を行い対応するか、ラボにクレームの内容を通知し、カットフィルムを送る。そして、ステップＳ１４で、クレームの内容に基づき、カットフィルムから、再プリントを行い、仕分けし袋詰めをして、写真館またはＤＰ店などに納品する。ステップＳ１５で、写真館またはＤＰ店などは、仕分けされ袋詰めされたクレームの写真を学校や団体に納品する。そして、ステップＳ１６で、学校や団体は各人へ納品されたクレームの写真を配付する。
【０００６】
ステップＳ０５の、ラボが送られたフィルムから見本パネルを作成するまでの従来の流れを図３を基に説明する。図３において、太線はフィルムの流れ、二重線はペーパーの流れ、点線はフロッピーディスクの流れを示す。ラボに送られた撮影済フィルム２１の容器からの先端出しを行い、フィルムの先端に、識別番号を表示したシールを添付する。そして、暗室下でフィルム現像機１でフィルムの現像を行う。現像されたフィルムは、識別番号を表示したシールを基に、同じ注文の固まり毎にフィルムスプライサー２でロールフィルムにスプライスされる。スプライスされたロールフィルムは、プレリードノッチャー３で、自動的に、フィルム品種、駒番号を読み取り、各駒に対応する位置にノッチを付されながら、ラボ作業者が、焼付条件（露光補正条件）、天地情報をプレリードノッチャー３に入力して、プレリードノッチャー３がフロッピーディスクに焼付データとして入力される。なお、このノッチは焼付時に対応する駒をネガマスクに位置決めするためのものである。そして、受注受付処理装置４でフロッピーディスクの焼付データの各駒の焼付枚数を見本パネル作成数に設定する。自動焼付機５でフロッピーディスクの焼付データに基づいて、プリント作業を行う。プリントされたロールペーパーはペーパー現像機６で現像される。現像されたロールペーパーはフロッピーディスクの焼付データに基づいて、印字装置７がロールペーパーの各駒の裏にフィルム番号と駒番号とを印字する。また、ロールペーパーは検査機８で色調・焼度などが検査され、不良品はチェックされる。検査の結果、不良であると判断されたプリントは、ロールフィルムから再度、焼付・現像・印字・検査される。検査され合格となったロールペーパーをプリントカッター９で各駒毎にカットして見本プリント２２を作成する。そして、作成された見本プリント２２を撮影順に貼り並べ、それぞれの見本プリントの傍に通し番号を付した図２に示すような見本パネル３１を作成する。作業が終了すると、フロッピーディスクはフロッピーディスク保管庫１１に保管される。また、使用したロールフィルムはロールフィルム保管庫１０に保管される。
【０００７】
ステップＳ１０のラボが渡された写真注文袋を基に、プリント条件を記憶したフロッピーディスクとロールフィルムから、注文プリントを作成し、写真注文袋毎に仕分けし袋詰めをして、写真館またはＤＰ店などに納品するまでの従来の流れを図４を基に説明する。図４においても、太線はフィルムの流れ、二重線はペーパーの流れ、点線はフロッピーディスクの流れを示す。写真注文袋である受注シート２８の注文内容を人手によって読み取り、各駒毎の注文者と注文枚数のリストを作成すると共に、集計作業２９を行う。集計された各駒の焼付枚数を受注受付処理装置４に人手によって入力して、フロッピーディスクの焼付データの各駒の焼付枚数を設定する。ロールフィルム保管庫１０に保管されているロールフィルムを運び出し、自動焼付機５でフロッピーディスクの焼付データに基づいて、プリント作業を行う。プリント作業が終了すると、プリントされたロールペーパーはペーパー現像機に送られる。また、プリント作業が終了したロールフィルムはネガフィルムカッター１３で、適切な長さのシートフィルムに切断される。切断されたシートフィルムはフィルムエンベロッパー１４でエンベロップに挿入され、エンベロップ済フィルムとなる。また、プリントされたロールペーパーはペーパー現像機６で現像される。現像されたロールペーパーはフロッピーディスクの焼付データに基づいて、印字装置７がロールペーパーの各駒の裏にフィルム番号と駒番号とを印字する。そして、ロールペーパーは検査機８で色調・焼度などが検査され、不良品はチェックされる。検査の結果、不良であると判断されたプリントは、ロールフィルムから再度、焼付・現像・印字・検査される。検査され合格となったロールペーパーはプリントカッター９で各駒毎にカットされる。カットされたプリントは、各駒毎の注文者と注文枚数のリストを基に、図１９に示すような人手による仕分け作業２９により、各写真注文袋毎に仕分けされる。各写真注文袋毎に仕分けされたプリントは袋詰め装置１６で袋詰めされる。袋詰めされたプリントは注文写真２５として、写真館又はＤＰ店などに納品される。
【０００８】
図１９を基に、従来の仕分け作業２９を説明する。仕分けボックス３００１の前に立っている男性３０１０と女性３０２０が仕分け作業を行う作業者である。この仕分けボックス３００１は数百人用で、千の仕切りがある。それぞれの仕切りには通し番号が付されている。この通し番号が各写真注文袋の番号と一致する。また、このオペレーターの女性３０２０の左手には各駒毎の注文者と数のリスト３０２１とプリント数枚３０２２があり、右手にはプリント１枚３０２３があり、該当する場所が見つからないようである。夢中になって探しているので、プリントの写真面にこの女性の指がかかっている。これは、不良品としてクレームとなりうる。また、一番高い仕切りに手が届かない作業者のために脚立３０３０が置いてある。男性の右手にもプリント１枚３０１３があり、高いところにあるボックスに入れるか迷っているところである。この図から判るように、仕分け作業２９は、千もの仕切りがある仕分けボックスの前で数人のオペレーターが作業するので、極めて大変な作業であった。
【０００９】
以下、本件出願に開示されている発明を構成する各個別の発明毎に、対比すべき従来技術を〔従来の技術〕欄内に、発明が解決しようとする課題を〔発明が解決しようとする課題〕欄内に、課題を解決するための手段とその作用を〔作用〕欄内に統合して記載しているので、各個別の発明毎に飛ばして読むと理解しやすいと思う。
【００１０】
（第一発明・第二発明）
従来は、同じロールフィルムに対する多数のプリント注文を一括して集計し、一括してプリントした後、図１９のように、手作業で各プリント注文へ仕分け作業をしていた。
【００１１】
また、ミニラボ店では、同じ写真フィルムに対して複数のプリント注文があると、プリント注文毎にプリント作業を行っていた。
【００１２】
（第三発明・第四発明）
従来は、同じロールフィルムに対する多数のプリント注文を一括して集計し、一括してプリントした後、各プリント注文へ仕分け作業をしていたので、プリント注文を分割してプリント作業を行う時の効率的なプリント作成方法については何ら知られていなかった。特に、その後工程の印字工程や仕分け工程や袋詰め工程などの作業性も考えたものは何ら知られていなかった。
【００１３】
（第五発明）
従来は、同じロールフィルムに対する多数のプリント注文を一括して集計し、集計した結果に基づいて一括してプリントを行い、集計とは別にそれぞれのプリント注文のプリント注文伝票を元に作成された各駒毎の注文者と数のリストにより、プリントの仕分けを行っていた。
【００１４】
（第六発明・第七発明）
従来は、集計の間違いによるプリントの余りや不足の発生が多かったが、その対応は、その原因を詰めることなく、集計を間違えた集計担当者を一時配置転換するなどで対応していた。
【００１５】
（第八発明）
従来は、フィルム毎のフィルム番号（オーダー情報）や各フィルムの駒番号を作成されたプリントの裏または表に印字して、プリントの各駒の識別を行っていた。
【００１６】
（第九発明）
従来は、フィルム毎のフィルム番号（オーダー情報）や各フィルムの駒番号などのプリントへの印字を一定の方向で行っていた。
【００１７】
（第十発明）
従来は、多数駒原稿の複数の駒のプリントを連続的に作成する時は、プリント上に枠を設ける場合、一定の位置に一定の大きさの枠を設けていた。
【００１８】
（第十一発明）
従来の受注処理は、受注シートに筆記された内容を作業者が読み取り、キー入力していた。
【００１９】
【発明が解決しようとする課題】
本件出願に開示されている発明は写真プリントの生産の効率化・作業性の向上を目的とするものである。
【００２０】
（第一発明）
従来のように、同じ原稿（例えばロールフィルム）に関する多数のプリント注文を一括して集計し、一括してプリントすると、例えば、数百のプリント注文があるような修学旅行写真の場合、プリント後、数百のプリント注文へ仕分けるので、後の各プリント注文への仕分け作業が大変である。また、ソータ（仕分機）で仕分けるにしても、ソータが大掛かりなものになる。
【００２１】
また、ミニラボ店のように、プリント注文毎にプリント作業をすると、仕分けは簡単であるが、例えば、数百のプリント注文があるような修学旅行写真の場合、プリント作業を数百回行うので、プリント作業の作業性が極めて悪く、面倒で時間がかかる。
【００２２】
また、プリント作業だけを適当に複数の組に分割して行い、作成されたプリントから仕分け作業を行うことも考えたが、全てのプリント作業が終わるまで、仕分け用ボックスまたはソータを占有することになってしまう。また、最初のプリント作業が終わってから全てのプリント作業が終わるまでの長い時間、仕分け用ボックスまたはソータを占有しないようにすると、実質的に、全てのプリント作業が終わるまで、仕分け作業を行うことが出来なかった。そのため、前半の組で作成されたプリントを保管するスペースが必要であり、また、その間のプリントの保管にも注意する必要があった。
【００２３】
本発明の目的は、プリント作業も仕分け作業も簡単に行うようにすることである。
【００２４】
また、この場合、作業分析により、プリント注文の集計作業の量とプリントの作成作業の量とは単純に比例しないものであることが判った。従って、プリント注文の集計作業とプリントの作成作業を連動して行おうとすると、全体としての生産効率が下がることが判った。そして、プリント注文小計を記憶媒体に記憶させる場合、通常、受注受付処理装置でプリント注文小計を記憶媒体に記憶させ、ノッチャーで焼付条件を記憶媒体に記憶させるので、別々の記憶媒体に記憶させることを発想した。だが、このようにすると焼付時に、記憶媒体の取り付け間違いが起こり、全く異なる枚数のプリントを作成することが生じやすいことが判った。そこで、本発明の従属項は、プリント注文の集計作業とプリントの作成作業とを連動させる必要を無くすことにより、全体としての生産効率を向上させるとともに、このような焼付時の記憶媒体の取り付け間違いが発生しにくいようにすることを目的とするものである。
【００２５】
（第二発明）
従来のように、同じ原稿に関する多数のプリント注文を一括してプリントすると、例えば、数百のプリント注文があるような修学旅行写真の場合、一括してプリントを作成した後、数百のプリント注文へ仕分けることになるので、ビン数の多い大掛かりなソータでないと、一度の仕分け作業で、プリント注文毎に仕分けることができないという問題がある。
【００２６】
本発明は、ビン数の少ないソータでも、一度の仕分け作業で、プリント注文毎に仕分けることができるようにすることである。
【００２７】
（第三発明）
多数のプリント注文を複数の組に分割してプリント作業を行うと、同一の写真フィルムを複数回搬送させながらプリントを行う必要があり、また、その後の印字工程や仕分け工程や袋詰め工程などの作業性も考える必要があることが判った。
【００２８】
本発明の目的は、多数のプリント注文を複数の組に分割してプリント作業を行う時の、その後の印字工程や仕分け工程や袋詰め工程などの作業性を向上させることである。
【００２９】
（第四発明）
多数のプリント注文を複数の組に分割してプリント作業を行うと、同一の写真フィルムを複数回搬送させながらプリントを行う必要があり、また、その後の印字工程や仕分け工程や袋詰め工程などが適切に自動化されている場合、そのプリント作業はより高速なものが求められることが判った。
【００３０】
本発明の目的は、多数のプリント注文を複数の組に分割してプリント作業を行う時の、より高速で、効率的なプリント作成方法を提供することである。
【００３１】
（第五発明）
従来は、同じロールフィルムに対する多数のプリント注文を一括して集計し、集計した結果に基づいて一括してプリントを行い、集計とは別にそれぞれのプリント注文のプリント注文伝票を元に作成された各駒毎の注文者と数のリストにより、プリントの仕分けを行っていたので、仕分け作業の終了間際に、プリントの余りや不足の発生が明らかになった時に、集計の間違いに基づくものなのか、仕分けの間違いに基づくものなのか、その原因を明らかにして対応するのに大変な労力が必要であった。
【００３２】
本発明の目的は、プリントの余りや不足の発生自体を少なくすると共に、プリントの余りや不足の発生が明らかになった時に、その原因を明らかにして対応するための労力を少なくすることである。
【００３３】
（第六発明）
本発明は、集計の間違いによるプリントの余りや不足の発生が多かった原因が同一の写真フィルムに関する多数のプリント注文をそれぞれのプリント注文伝票を見ながら、人手によりデータ入力を行う際の入力ミスによるものであることを見出してなされたものである。また、人手によりデータ入力は手間がかかるものである。
【００３４】
本発明の目的は、単に、人手によりデータ入力を行う際の入力ミスを機械化することで防止し、プリントの余りや不足の発生自体を少なくするだけでなく、入力ミスが原因であった場合の対応を容易にすることである。
【００３５】
（第七発明）
従来のように、集計した結果から各駒の焼付枚数を人手によって入力すると、折角、集計が正しくても焼付枚数の入力ミスによりトラブルが発生する。
【００３６】
本発明の目的は、集計からプリントの作成までの作業を自動化することにより、焼付枚数の過不足のトラブルの発生を減少させ、トラブルが発生する原因を各プリント注文の入力だけにすることで、トラブルの原因を明らかにする作業も減らすことである。
【００３７】
（第八発明）
従来のようにフィルム番号と駒番号を作成されたプリントの裏または表に印字しても、例えば学校や団体の行事写真のように、複数の（多数の駒を有するフィルム）に跨がる写真に対する複数のプリント注文に仕分ける場合、フィルム番号と駒番号の両方を見ないとプリントの駒の識別ができず、仕分け作業の作業性や仕分け後の確認作業の作業性が著しく悪かった。
【００３８】
本発明の目的は、複数の（多数の駒を有するフィルム）に跨がる写真に対する複数のプリント注文に仕分ける場合の仕分け作業の作業性や仕分け後の確認作業の作業性を改善することである。
【００３９】
（第九発明）
従来は、フィルム毎のフィルム番号（オーダー情報）や各フィルムの駒番号などのプリントへの印字を一定の方向で行っていたため、上下が逆に写された駒や縦画面で写された駒では写真の向きと文字の向きが整合しない問題があることが判った。
【００４０】
本発明の目的は、写真の向きと文字の向きとを簡単に整合させることである。
【００４１】
（第十発明）
従来は、プリント上の枠の大きさや位置が一定であったため、上下が逆に写された駒や縦画面で写された駒では写真の向きと枠の向きが整合しない問題があることが判った。
【００４２】
本発明の目的は、写真の向きと枠の向きとを簡単に整合させることである。
【００４３】
（第十一発明）
従来のように受注処理を作業者の手作業に頼っていては効率化が困難であった。また、ＯＣＲによる読み取りも検討したが、単にＯＣＲを導入しても、注文者それぞれによって字体が異なるので、多数のプリント注文を間違いなく、高速に読み取ることは困難であることが判った。
【００４４】
本発明の目的は、多数のプリント注文を間違いなく、高速に受注処理するための受注シートと受注処理方法を提供することである。
【００４５】
【課題を解決するための手段】
以下、本件出願に共通の構成要素について説明する。まず、本件出願に共通の言葉の定義を以下に示す。
【００４６】
画像とは、物体からの反射光あるいは透過光の分布を記録したものである。画像には、紙、プラスチックなどの支持体上に像として画像を形成して記録した写真画像や電子的な信号に置き換えて記録した電子画像などがある。駒とは、画像の１区切りのことである。写真画像を形成する媒体としては、感光層を支持体上に形成した写真感光材料を感光させ現像したものや、支持体上に電子写真法によりトナー像を形成したものや、支持体上に熱転写法により色素像を転写したものなどが挙げられる。写真感光材料には、紙を支持体とする印画紙やフィルムベースを支持体とする写真フィルムなどがある。
【００４７】
コピーとは、原稿画像から写真画像を形成することである。コピーには、原稿画像が写真画像である場合に、その写真画像を写真感光材料に露光して写真画像を形成する焼付や、原稿画像が電子画像である場合に、電子画像から写真画像を形成する再生などがある。コピー機とは、原稿画像から写真画像を形成するための装置のことである。コピー機には、焼付に用いられる写真焼付装置や、再生に用いられる写真再生装置が挙げられる。写真焼付装置には、手動のものもあるが、自動露光機構を備えた写真焼付装置である自動焼付装置が通常用いられる。また、写真再生装置には、ＣＲＴを用いて写真感光材料を感光させて写真画像を形成するＣＲＴプリンタや、ＬＥＤアレイを用いて写真感光材料を感光させて写真画像を形成するＬＥＤプリンタや、レーザ光走査により写真感光材料を感光させて写真画像を形成するレーザプリンタや、昇華型感熱転写法や溶融型感熱転写法等の感熱転写法により写真画像を形成する感熱転写プリンタや、インクジェット法により写真画像を形成するインクジェットプリンタや、電子写真法により写真画像を形成する電子写真プリンタ（ＬＥＤアレイやレーザ光走査などの露光により電子写真感光体に潛像を形成し、潛像を形成した電子写真感光体上にトナー像を形成し、形成されたトナー像を記録紙に転写して写真画像を形成する）などが挙げられる。これらの中で、写真感光材料を用いた写真再生装置が好ましい。
【００４８】
原稿とは、コピーするための元の画像を記録する媒体のことである。原稿画像とは、コピーするための元の画像のことである。原稿には、１つの駒の原稿画像を記録するものだけではなく、通常、複数の駒の原稿画像を記録するものが多い。また、原稿には、コピーするための元の画像を写真の形で記録する写真原稿や、コピーするための元の画像を電子的に記録する電子原稿などがある。また、写真原稿には、コピーするための元の画像をモノクローム写真の形で記録するモノクローム写真原稿や、コピーするための元の画像をカラー写真の形で記録するカラー写真原稿がある。モノクローム写真原稿には、コピーするための元の画像を白黒写真の形で記録する白黒写真原稿がある。また、写真原稿には、現像済の写真フィルムなどの透明フィルムやガラスなどの透明支持体上に写真画像が形成された透過原稿や、紙などの不透明支持体上に写真画像が形成されたような反射原稿がある。現像済のカラー写真フィルムとしては、透明フィルム支持体上に複数の均一な感光層が形成されたカラー写真フィルムに、写真撮影により潜像が形成された後、現像された現像済のカラー写真フィルムが、本発明において好ましい。カラー写真原稿としては、現像済のハロゲン化銀カラー写真感光フィルムだけではなく、現像済のハロゲン化銀カラー写真感光ガラス乾板、昇華型熱転写受像シートが昇華色素を受像してできたカラー写真フィルムなどが挙げられる。また、焼付原稿とは、写真感光材料に焼付けるための元の写真画像を記録する媒体のことである。１本多数駒原稿とは、１つの原稿に多数の駒を有する原稿のことである。多数本原稿とは、多数の原稿を１つにまとめた原稿のことである。多数本原稿の例としては、後述するロールフィルムがある。また、ロールフィルムは通常、１２〜３６駒の写真を記録したフィルムを１０〜５０本程度接続しているので、多数本多数駒原稿といえる。また、１本のフィルムとは、１つのパトローネ内に収容されていた１本のウエブ状の写真フィルムのことで、通常、１２駒、２４駒または３６駒の写真を記録できる領域を有する。ピースフィルムやピースフィルム原稿は、１〜数駒の写真画像を有する１枚のシート状フィルムの写真原稿のことであり、例えば、１本のフィルムを１〜数駒ずつカットした１枚のシート状をしている写真フィルムが挙げられる。ロールフィルムやロールフィルム原稿は、複数本のフィルムを接続した多数駒原稿である写真フィルムが１本の巻き軸に巻かれている写真原稿であり、通常は１０〜５０本程度のフィルムを接続して形成されている。
【００４９】
焼付には、写真原稿と焼付用写真感光材料とを密着して露光する密着焼付や、写真原稿の写真画像を焼付用写真感光材料上に投影して露光する投影焼付や、写真原稿の写真画像を焼付用写真感光材料上に走査露光する走査焼付などがある。焼付用写真感光材料とは、焼付により写真画像を形成される写真感光材料であり、通常は印画紙が用いられる。プリントとは、原稿画像から形成された写真画像のことである。写真プリントとはプリントのことである。
【００５０】
ロールペーパーとは、長尺の印画紙を巻いたものである。ロールペーパーは通常１本のウエブ状の印画紙であるが、ロールフィルムのように複数本の印画紙を接続したものであってもよい。
【００５１】
パトローネとは、撮影用フィルムを入れて、カメラに日中装填ができるようにした遮光容器のことである。
【００５２】
スタジオとは、写真撮影を行う作業場のことである。写真館とは、スタジオを有する写真注文を受け付ける店のことである。ＤＰ店とは、スタジオを持たない写真注文を受け付ける店のことである。
【００５３】
ラボとは、写真現像所のことである。ラボ作業者（作業者）とは、ラボで作業する方のことである。オーダとは、ラボで処理する際の受注処理単位のことである。通常、同時プリントでは、１オーダが１プリント注文であるが、例えば、学校写真のように、１オーダが多数のプリント注文である場合がある。
【００５４】
プリント注文とは、通常は、写真館やＤＰ店が受ける１単位の注文のことである。しかし、プリント納品袋の大きさやソータの１ビンの大きさ等の関係により、写真館やＤＰ店が受ける１単位の注文を複数に分けて、そのそれぞれをプリント注文として扱ってもよい。このプリント注文には、プリントを希望する駒などのプリント注文情報が付属する。また、プリント注文情報には、その駒の希望するプリント枚数があってもよく、さらに、Ｅ判・Ｌ判・キャビネなどのプリントサイズ、絹目・光沢などのプリントの種類などの情報があってもよい。また、多数のプリント注文とは、複数のプリント注文の意味であるが、本発明は、特に、３以上のプリント注文において有用である。さらに、１０以上、（特に１００以上）のプリント注文において有用である。多数のプリント注文を複数の組に分割するとは、例えば、図８に示すように、７６３のプリント注文（図８では受注シートＮｏ．で識別している。）を、９０のプリント注文からなる１組目〜８組目の８組と４３のプリント注文からなる９組目の１組に、分割するようなことである。
【００５５】
また、優先権を主張した先の出願では、学校の『クラス』のことを『組』と呼んだが、特許請求の範囲の『多数のプリント注文を複数の組に分割する』などの『組』と紛らわしいので、本願では『クラス』と呼ぶことにする。
【００５６】
プリント注文合計とは、複数のプリント注文を集計した結果である。プリント注文合計には、１オーダ中のプリント注文を分割し、分割された組毎にプリント注文を集計した結果であるプリント注文小計と、１オーダ中のプリント注文を全て合計したプリント注文総計などがある。
【００５７】
ノッチャーとは、ロールフィルムを自動焼付装置で焼付に使用する際に、自動的に画面の位置決めができるように、フィルムの縁の一部にノッチを付けて検出しやすくする装置である。
【００５８】
注文内容読取装置は、受注シートを光学的に読み取る光学的読取装置であっても、受注シートを磁気的に読み取る磁気的読取装置であっても、その他の読取装置であってもよい。光学的読取装置としては、光学式マーク読取装置であるＯＭＲや、光学式文字読取装置であるＯＣＲなどが挙げられる。
【００５９】
天地とは、各駒に画像として記録されている物体の上の向きのことである。例えば、１３５規格の写真フィルムに直立している人物の全身を撮影した画像では頭がどちらにあるかで、頭がＤＸコードと反対側にある場合を上、ＤＸコード側にある場合を下、先頭駒側にある場合を右、最終駒側にある場合を左とするなどである。
【００６０】
駒識別マークとは、１駒１駒を識別する符号のことである。駒識別マークとしては、フレームナンバーが有名である。フレームナンバーは１本のフィルム内での駒の識別に用いるものであるが、ロールフィルムなどの多数本多数駒原稿では、何本目のフィルムのフレームナンバーがいくつの駒か特定しなければ、駒の識別はできない。そこで、後述するように、第八発明では、多数本多数駒原稿に跨がる一連の識別マークであり、各駒毎の識別マークである駒識別マークを用いる。このような駒識別マークには、絵柄、記号、文字やコードなどが用いられる。コードには、バーコード、カルマコードなどがある。また、文字には、英字、数字、ひらがな、かたかな、漢字等の狭義の文字の他、絵文字など広義の文字も含まれる。
【００６１】
（第一発明）
（１）『同じ原稿に対して多数のプリント注文がある時のプリントを作成する写真プリントの生産方法において、
作成されたプリントを複数のビンに分けて収容するソータと、
前記多数のプリント注文を１組がソータのビン数以下のプリント注文となるように複数の組に分割し、
分割された組毎にプリント注文を集計して、プリント注文小計を求め、
前記プリント注文小計に基づき、分割された組毎にプリントを作成することを特徴とする写真プリントの生産方法。』により、多数のプリント注文を複数の組に分割して、分割された組毎にプリントを作成するので、一括してプリント作業を行うのと比較して、後の仕分け作業が簡単であり、また、仕分け作業をソータで行うにしても、ソータのビンの数が小さいもので済むので、ソータを小型のもので済ませることができ、そして、多数のプリント注文を複数の組（複数の組の少なくとも１つの組は複数のプリント注文からなるのは言うまでもない。）に分割してプリント作業を行うので、多数のプリント注文をプリント注文毎にプリント作業するよりも、プリント作業が簡単である。
【００６２】
（２）『前記原稿の各駒のプリントを作成する条件であるプリント作成条件を求め、記憶媒体に記憶させ、
前記記憶媒体に分割された組毎のプリント注文小計を記憶させ、
前記記憶媒体に記憶されたプリント作成条件と分割された組毎のプリント注文小計に基づき、プリントを作成することを特徴とする（１）の写真プリントの生産方法。』により、さらに、記憶媒体にプリント作成条件とプリント注文小計を記憶させるので、プリント作成条件を求める作業とプリント注文の集計作業とプリントの作成作業との間に時間的ブランクが生じてもよく、そのため、プリント作成条件を求める作業とプリント注文の集計作業とプリントの作成作業とを連動させる必要がないので、全体としての生産効率の向上が図れる。また、プリント注文小計と焼付条件を１つの記憶媒体に記憶させるので、その記憶媒体だけで焼付作業を行うことができる。また、同じ原稿に対して複数の記憶媒体から情報を得る場合の焼付時の記憶媒体の取り付け間違いを防止できる。
【００６３】
また、ミニラボ店のように、プリント注文毎にプリント作業をすると、前記原稿が写真原稿（例えば、現像済の写真フィルム）の場合、写真原稿を数百回原稿台（例えば、ネガマスク）に通すことになり、写真原稿が痛んだり、写真原稿にゴミやホコリが付着しやすいが、
『前記原稿が写真原稿であり、
前記プリント作成条件が前記写真原稿の各駒の焼付条件であり、
プリントを作成するのに、前記写真原稿から焼付用写真感光材料に焼付け、焼付けられた焼付用写真感光材料を現像して、プリントを作成すること』により、特に生産性の高い、写真原稿から焼付用写真感光材料（例えば、印画紙）に焼付け、焼付けられた焼付用写真感光材料を現像して、プリントを作成するので、上述の効果が特に有用であるだけでなく、多数のプリント注文を複数の組に分割してプリント作業を行うので、多数のプリント注文をプリント注文毎にプリント作業するよりも、写真原稿が痛んだり、写真原稿にゴミやホコリが付着したりして写真原稿に悪影響を及ぼすことないので、好ましい。
【００６４】
（３）『同じ原稿に対して多数のプリント注文がある時のプリントを作成するための写真プリントの生産設備において、
作成されたプリントを複数のビンに分けて収容するソータと、
前記多数のプリント注文を１組がソータのビン数以下のプリント注文となるように複数の組に分割し、分割された組毎にプリント注文を集計してプリント注文小計を求める受注受付処理装置と、
前記プリント注文小計に基づき、分割された組毎にプリントを作成するコピー機とを有することを特徴とする写真プリントの生産設備。
』（請求項１に記載の発明）も（１）と同様の作用効果を有する。
【００６５】
（４）『さらに、前記原稿の各駒のプリントを作成する条件であるプリント作成条件を求め、記憶媒体に記憶させるプレ判定手段を有し、
前記受注受付処理装置が、前記記憶媒体に分割された組毎のプリント注文小計を記憶させるものであり、
前記コピー機が、前記記憶媒体に記憶されたプリント作成条件と分割された組毎のプリント注文小計とに基づき、プリントを作成するものであることを特徴とする（３）の写真プリントの生産設備。』（請求項２に記載の発明）により、（２）と同様の作用効果を奏する。
【００６６】
また、『前記原稿がロールフィルム焼付原稿であり、
前記プリント作成条件が前記ロールフィルム焼付原稿の各駒の焼付条件であり、
前記コピー機が、前記記憶媒体に記憶された分割された組毎のプリント注文小計と焼付条件とに基づき、逐次分割された組毎に、前記ロールフィルム焼付原稿から印画紙に焼付ける自動焼付機と、前記自動焼付機により焼付けられた印画紙を現像する自動現像機と、を有すること』により、特に生産性の高い、ロールフィルム焼付原稿から印画紙に焼付け、焼付けられた印画紙を現像して、プリントを作成することなので、上述の効果が特に有用であるだけでなく、多数のプリント注文を複数の組に分割してプリント作業を行うので、多数のプリント注文をプリント注文毎にプリント作業するよりも、ロールフィルム焼付原稿が傷付きにくい効果もあり、好ましい。
【００６７】
（第二発明）
（５）『同じ原稿に対して多数のプリント注文がある時のプリントを作成する写真プリントの生産方法において、
前記多数のプリント注文を、１組がソータのビン数以下のプリント注文となるように、複数の組に分割し、
分割された組毎にプリントを作成し、
分割された組毎に作成されたプリントを、前記ソータにより仕分けることを特徴とする写真プリントの生産方法。』（請求項３に記載の発明）により、分割された組の１組がソータのビン数以下のプリント注文となるように、複数の組に分割されているので、分割された組毎に作成されたプリントをそのままソータにより、一度の仕分け作業で、プリント注文毎に仕分けることができる。
【００６８】
（６）『同じ原稿に対して多数のプリント注文がある時のプリントを作成するための写真プリントの生産設備において、
前記多数のプリント注文を、１組がソータのビン数以下のプリント注文となるように、複数の組に分割された組毎に、プリントを作成するコピー機と、
前記コピー機により作成されたプリントを仕分けるソータと、を有することを特徴とする写真プリントの生産設備。』（請求項４に記載の発明）により、（５）と同様の作用・効果を奏する。そして、『さらに、前記多数のプリント注文を、１組がソータのビン数以下のプリント注文となるように、複数の組に分割する受注受付処理装置を有すること』が好ましい。
【００６９】
（第三発明）
（７）『同じロールフィルム焼付原稿に対して多数のプリント注文がある時のプリントを作成する写真プリントの生産方法において、
前記多数のプリント注文を複数の組に分割し、
逐次分割された組毎に、前記ロールフィルム焼付原稿を先頭から後尾まで順次搬送させながら、前記ロールフィルム焼付原稿から焼付用写真感光材料に焼付け、焼付を終了したら前記ロールフィルム焼付原稿を巻き戻すことを、繰り返すことを特徴とする写真プリントの生産方法。』により、分割されたプリント注文により作成されたプリントが全て同じ順序で並んでいるので、その後工程の印字工程や仕分け工程や袋詰め工程などの作業性が向上する。
【００７０】
また、『さらに、分割された組毎のプリント注文を集計して、プリント注文小計を求め、記憶媒体に分割された組毎のプリント注文小計を記憶させ、
前記記憶媒体に記憶されたプリント作成条件と分割された組毎のプリント注文小計に基づき、逐次分割された組毎に、前記ロールフィルム焼付原稿から焼付用写真感光材料に焼付けること』が好ましい。この場合、分割された組毎のプリント注文小計を一度に全ての組について集計してもよいし、分割された組毎に集計してもよい。
【００７１】
（８）『同じロールフィルム焼付原稿に対して多数のプリント注文がある時のプリントを作成するための写真プリントの生産設備において、
前記多数のプリント注文を複数の組に分割した組毎に、前記ロールフィルム焼付原稿から焼付用写真感光材料に焼付ける自動焼付機を有し、
前記自動焼付機が、
前記ロールフィルム焼付原稿を搬送させるロールフィルム焼付原稿搬送手段と、
前記ロールフィルム焼付原稿から焼付用写真感光材料に露光するための露光手段と、
逐次分割された組毎に、前記フィルム搬送手段により前記ロールフィルム焼付原稿を先頭から後尾まで順次搬送させながら、前記露光手段により前記ロールフィルム焼付原稿から焼付用写真感光材料に焼付け、焼付を終了したら前記ロールフィルム焼付原稿を巻き戻すことを、繰り返すよう制御する制御手段と、
を有する写真プリントの生産設備。』も、（７）と同様の作用である。
【００７２】
そして、『さらに、前記多数のプリント注文を複数の組に分割する受注受付処理装置を有すること』が好ましい。そして、『さらに、前記ロールフィルム焼付原稿の各駒の焼付条件を求め、記憶媒体に記憶させるプレ判定手段を有し、
前記受注受付処理装置が、分割された組毎のプリント注文を集計しプリント注文小計を求め、前記記憶媒体に分割された組毎のプリント注文小計を記憶させるものであり、
前記自動焼付機が、さらに、前記記憶媒体に記憶された分割された組毎のプリント注文小計と焼付条件を読み出す記憶媒体読取手段を有し、
前記制御手段が、さらに、前記記憶媒体読取手段により読み出された分割された組毎のプリント注文小計と焼付条件に基づき、焼付を制御する』ことが好ましい。この場合、分割された組毎のプリント注文小計を、一度に全ての組について集計してもよいし、分割された組毎に集計してもよい。
【００７３】
本発明の具体例を実施例１に示す。
【００７４】
（第四発明）
（９）『同じロールフィルム焼付原稿に対して多数のプリント注文がある時のプリントを作成する写真プリントの生産方法において、
前記多数のプリント注文を複数の組に分割し、
分割された組の２組毎に、２組の始めの組では、前記ロールフィルム焼付原稿を第一の搬送方向に順次搬送させながら、前記ロールフィルム焼付原稿から焼付用写真感光材料に焼付け、２組の次の組では、第一の搬送方向と反対の第二の搬送方向に順次搬送させながら、前記ロールフィルム焼付原稿から焼付用写真感光材料に焼付けること、を繰り返すことを特徴とする写真プリントの生産方法。』により、多数のプリント注文を複数の組に分割し、分割された組毎に焼付を行っても、巻き戻しが不要なので、プリントを作成する速度はより高速になる。
【００７５】
また、『さらに、分割された組毎のプリント注文を集計して、プリント注文小計を求め、前記記憶媒体に分割された組毎のプリント注文小計を記憶させ、
前記記憶媒体に記憶されたプリント作成条件と分割された組毎のプリント注文小計に基づき、逐次分割された組毎に、前記ロールフィルム焼付原稿から焼付用写真感光材料に焼付けること』が好ましい。この場合、分割された組毎のプリント注文小計を、一度に全ての組について集計してもよいし、分割された組毎に集計してもよい。
【００７６】
（１０）『同じロールフィルム焼付原稿に対して多数のプリント注文がある時のプリントを作成するための写真プリントの生産設備において、
前記多数のプリント注文を複数の組に分割した組毎に、逐次、前記ロールフィルム焼付原稿から焼付用写真感光材料に焼付ける自動焼付機と、を有し、
前記自動焼付機が、
前記ロールフィルム焼付原稿を搬送させるロールフィルム焼付原稿搬送手段と、
前記ロールフィルム焼付原稿から焼付用写真感光材料に露光するための露光手段と、
分割された組の２組毎に、２組の始めの組では、前記フィルム搬送手段により前記ロールフィルム焼付原稿を第一の搬送方向に順次搬送させながら、前記露光手段により前記ロールフィルム焼付原稿から焼付用写真感光材料に焼付け、２組の次の組では、第一の搬送方向と反対の第二の搬送方向に順次搬送させながら、前記露光手段により前記ロールフィルム焼付原稿から焼付用写真感光材料に焼付けること、を繰り返すよう制御する制御手段と、
を有する写真プリントの生産設備。』も、（９）と同様の作用効果である。
【００７７】
そして、『さらに、前記多数のプリント注文を複数の組に分割する受注受付処理装置を有すること』が好ましい。そして、『さらに、前記ロールフィルム焼付原稿の各駒の焼付条件を求め、記憶媒体に記憶させるプレ判定手段を有し、
前記受注受付処理装置が、分割された組毎にプリント注文を集計しプリント注文小計を求め、前記記憶媒体に分割された組毎のプリント注文小計を記憶させるものであり、
前記自動焼付機が、さらに、前記記憶媒体に記憶された分割された組毎のプリント注文小計と焼付条件を読み出す記憶媒体読取手段を有し、
前記制御手段が、さらに、前記記憶媒体読取手段により読み取られた分割された組毎のプリント注文小計と焼付条件に基づき、焼付を制御する』ことが好ましい。この場合、分割された組毎のプリント注文小計を、一度に全ての組について集計し、記憶媒体に記憶させてもよいし、分割された組毎に集計し、記憶媒体に記憶させてもよい。これらの中で、一度に全ての組について集計し、記憶媒体に記憶させる方が、後工程においても、記憶媒体に記憶した全ての組の情報を利用できるので好ましい。
【００７８】
本発明の具体例を実施例２に示す。
【００７９】
（第一発明〜第四発明の『多数のプリント注文を複数の組に分割する』方法）
第一発明〜第四発明の『多数のプリント注文を複数の組に分割する』方法は、任意であり、例えば、後工程が効率良く行えるような単位毎に（例えば、学校で言えばクラス毎に、団体でいえば部門毎に）分割してもよいが、後工程でソータにより仕分けする場合、ソータのビン数の制約から、ソータのビン数を基準として分割することが好ましい。特に、分割された組の各々がソータのビン数以下となるように分割することが好ましい。ソータのビン数を基準として分割することの具体例について説明すると、例えば、ビン数が４０のソータで仕分けする写真プリントの生産設備に、３０人のクラスが４クラスある学校から注文が有る時を考える。その全ての生徒が注文し、注文者１２０人が多数駒原稿に対して各々１つのプリント注文を出した場合、プリント注文の合計は１２０になり、仕分けの対象が１２０なので、プリント注文を３つの組に分割して作業を行うことができる。また、一部の生徒しか注文せず、プリント注文の合計が６０の場合、仕分けの対象が６０なので、プリント注文を２つの組に分割して作業を行うことができる（３０・３０に分割しても、４０・２０に分割してもよい）。また、分割された１つの組に属するプリント注文の数も任意であるが、後工程でソータを用いる場合は、ソータのビン数以下であることが望ましく、また、後工程で仕分けボックスを用いる場合は、仕分けボックスの仕切りの数以下であることが好ましい。
（第五発明）
（１１）『同じ原稿に対して多数のプリント注文がある時のプリントを作成するプリント生産方法において、
前記多数のプリント注文に関するプリント注文情報を集計してプリント注文合計を求め、
プリント注文情報とプリント注文合計とを記憶媒体に記憶させ、前記記憶媒体に記憶されたプリント注文合計に基づき、プリントを作成し、
前記記憶媒体に記憶されたプリント注文情報に基づき、作成されたプリントを仕分けることを特徴とする写真プリントの生産方法。』により、プリント注文情報とプリント注文合計とを記憶媒体に記憶させるので、プリント注文の集計作業とプリントの作成作業とプリントの仕分け作業との間に時間的ブランクが生じてもよく、そのため、プリント注文の集計作業とプリントの作成作業とプリントの仕分け作業とを連動させる必要がないので、全体としての生産効率の向上が図れる。また、転記ミスなどによるプリントの余りや不足の発生自体を少なくできるだけでなく、プリントの余りや不足の発生が明らかになった時に、その原因を明らかにして対応するための労力を少なくすることができる。
【００８０】
（１２）『前記仕分けることが、プリント注文毎に仕分けることであることを特徴とする（１１）の写真プリントの生産方法。』により、注文者へのプリントの配付など後工程が簡単にできるだけでなく、プリント注文情報と仕分けされたプリントと対照することにより、プリントの余りや不足の発生を明らかにすることが簡単にできる。
【００８１】
（１３）『同じ原稿に対して多数のプリント注文がある時のプリントを作成するためのプリント生産設備において、
前記多数のプリント注文に関するプリント注文情報を集計してプリント注文合計を求める受注受付処理装置と、
前記プリント注文合計に基づき、プリントを作成するコピー機と、
前記プリント注文情報に基づき、作成されたプリントを仕分けるソータと、
を有することを特徴とする写真プリントの生産設備。』により、同一の写真フィルムに関する多数のプリント注文を集計する作業を自動化することにより、単に集計作業の高速化・安定化を図るだけでなく、その集計のために入力されたプリント注文情報に基づいてプリントを仕分けるので、プリントの余りや不足の発生自体非常に少なくなるだけでなく、プリントの余りや不足の発生が明らかになった時は、主原因は入力ミスだけになるので、その原因を明らかにして対応する労力を極めて少なくすることができる。
【００８２】
また、『前記受注受付処理装置は、プリント注文情報とプリント注文合計とを記憶媒体に記憶させ、
前記コピー機は、前記記憶媒体に記憶されたプリント注文合計に基づき、プリントを作成し、
前記ソータは、前記記憶媒体に記憶されたプリント注文情報に基づき、作成されたプリントをプリント注文毎に仕分ける』ことが好ましく、これにより、記憶媒体に記憶させるので、プリント注文の集計作業とプリントの作成作業とプリントの仕分け作業との間に時間的ブランクが生じてもよく、そのため、プリント注文の集計作業とプリントの作成作業とプリントの仕分け作業とを連動させる必要がないので、全体としての生産効率の向上が図れる。
【００８３】
（１４）『前記ソータが、作成されたプリントをプリント注文毎に仕分けることを特徴とする（１３）の写真プリントの生産設備。』により、注文者へのプリントの配付など後工程が簡単にできるだけでなく、プリント注文情報と仕分けされたプリントと対照することにより、プリントの余りや不足の発生を明らかにすることが簡単にできる。
【００８４】
第五発明において、作成されたプリントをプリント注文毎に仕分ける方法としては、記憶媒体に記憶された仕分けデータに基づいて仕分ける方法や、プリントに、プリント注文を識別するためのプリント注文識別情報や、多数本多数駒原稿に跨がる一連の識別マークであり、各駒毎の識別マークである駒識別マークをプリントの表面または裏面に付して、ソータでプリント注文識別情報や駒識別マークを読み取り仕分ける方法や、記憶媒体に記憶された仕分けデータとソータで読み取ったプリント注文識別情報や駒識別マークとの一致を確認しながら仕分ける方法などが挙げられる。
【００８５】
（第六発明）
（１５）『同じ原稿に対して多数のプリント注文がある時のプリントを作成するプリント生産方法において、
前記多数のプリント注文の受注シートを注文内容読取装置で読み取り、前記多数のプリント注文に関する情報であるプリント注文情報を得て、
前記プリント注文情報を集計してプリント注文合計を求め、
前記プリント注文合計に基づき、プリントを作成する写真プリントの生産方法。』により、単に人手によりデータ入力を行う際の入力ミスを機械化することで防止し、プリントの余りや不足の発生自体が少なくなるだけでなく、データ入力がどうであったか受注シートとして残るので、プリントの余りや不足が発生した場合の対応が容易になる。
【００８６】
（１６）『同じ原稿に対して多数のプリント注文がある時のプリントを作成するためのプリント生産設備において、
前記多数のプリント注文の受注シートを読み取る注文内容読取装置と、
前記注文内容読取装置により、多数のプリント注文に関する情報であるプリント注文情報を得て、得られたプリント注文情報を集計してプリント注文合計を求める受注受付処理装置と、
前記プリント注文合計に基づき、プリントを作成するコピー機と、
を有する写真プリントの生産設備。』により、（１５）と同じ作用効果である。
【００８７】
（第七発明）
（１７）『同じ原稿に対して多数のプリント注文がある時のプリントを作成するプリント生産方法において、
前記多数のプリント注文の受注シートを注文内容読取装置で読み取り、多数のプリント注文に関する情報であるプリント注文情報を得て、
プリント注文情報を集計してプリント注文合計を求め、
集計したプリント注文合計を記憶媒体に記憶させ、
前記記憶媒体に記憶されたプリント注文合計に基づきプリントを作成する写真プリントの生産方法。』により、前記多数のプリント注文を、識別する作業と一括して集計する作業を自動化することにより、単に、プリント注文の識別作業と集計作業の高速化・安定化を図るだけでなく、その集計のために入力されたプリント注文情報に基づいてプリントを仕分けるので、プリントの余りや不足の発生自体非常に少なくなるだけでなく、プリントの余りや不足の発生が明らかになった時は、主原因は入力ミスだけになり、そして、入力内容が受注シートとして残っているので、その原因を明らかにして対応する労力を極めて少なくすることができる。
【００８８】
（１８）『同じ原稿に対して多数のプリント注文がある時のプリントを作成するためのプリント生産設備において、
前記多数のプリント注文の受注シートを読み取る注文内容読取装置と、
前記注文内容読取装置により、多数のプリント注文に関する情報であるプリント注文情報を得て、プリント注文情報を集計してプリント注文合計を求め、集計したプリント注文合計を記憶媒体に記憶させる受注受付処理装置と、
前記記憶媒体に記憶されたプリント注文合計に基づきプリントを作成するコピー機と、
を有する写真プリントの生産設備。』により、（１７）と同じ作用効果である。
【００８９】
（第六発明と第七発明について）
『前記受注シートには、注文可能な写真の識別マークが列記されており、また、前記識別マークのそれぞれに対応する位置に、発注を示す光学的読取用のマーク箇所を設けてある』ことにより、データ入力がどうであったか明確に受注シートに残るので、プリントの余りや不足が発生した場合の対応がさらに容易になる。この光学的読取としては、ＯＭＲ又はＯＣＲによる読取が好ましく、さらに、ＯＭＲによる読取の方が、読取が高速で、誤読率が低いので好ましい。
【００９０】
また、『前記受注シートには、プリント注文を識別するためのプリント注文識別情報をＯＭＲ又はＯＣＲで読み取るためのＯＭＲ又はＯＣＲ用のマーク箇所を設けてあり、前記多数の受注シート上のマークをＯＭＲ又はＯＣＲで読み取る際に、プリント注文識別情報も読み取り、作成されたプリントにプリント注文を識別するためのマークを付する』ことにより、作成されたプリントにプリント注文を識別するためのマークを付するので、プリントの仕分けミスの発生などのトラブルの発見が容易になる。
【００９１】
（１９）『前記受注シートがＯＭＲまたはＯＣＲ用シートであり、前記注文内容読取装置がＯＭＲまたはＯＣＲであることを特徴とする（１５）または（１７）の写真プリントの生産方法。』であることが好ましい。
【００９２】
（２０）『前記受注シートがＯＭＲまたはＯＣＲ用シートであり、前記注文内容読取装置がＯＭＲまたはＯＣＲであることを特徴とする（１６）または（１８）の写真プリントの生産設備。』であることが好ましい。
【００９３】
ＯＭＲシートの一例として、図１６に示すようなＯＭＲ用受注シートが挙げられる。プリント納品袋との関係は、別体の図１６に示すようなＯＭＲ用受注シートがプリント納品袋に単に添付されていてもよいし、プリント納品袋に貼着されていてもよいし、また、プリント納品袋にＯＭＲ用受注シートの如き印刷がなされていてもよいし、また、ＯＭＲ用受注シートがラベルであり、ＯＭＲ用受注シートのラベルがプリント納品袋に接着されてもよい。この具体例を実施例２に示す。
【００９４】
ＯＣＲシートは、プリント注文を識別するためのプリント注文識別情報をＯＣＲシートに事前に記入し、該当する注文者に配付して、注文者がプリント注文識別情報を記入しなくても済むようにしてもよいし、注文者がプリント注文を識別するためのプリント注文識別情報をＯＣＲシートに記入するようにしてもよい。プリント注文を識別するためのプリント注文識別情報をＯＣＲシートに事前に記入し、該当する注文者に配付して、注文者がプリント注文識別情報を記入しなくても済むようにする場合、プリント注文を識別するためのプリント注文識別情報をＯＣＲシートに事前に記入する方法としては、手書きによる方法もあるが、印刷による方法が誤読率が低く好ましい。この具体例を実施例１に示す。
【００９５】
（第八発明）
（２１）『同じ多数本多数駒原稿に対して多数のプリント注文がある時のプリントを作成するプリント生産方法において、
前記多数のプリント注文に関するプリント注文情報に基づき、プリントを作成し、
前記プリント注文情報に基づき、前記多数本多数駒原稿に跨がる一連の識別マークであり、各駒毎の識別マークである駒識別マークを、作成されたプリントに入れることを特徴とする写真プリントの生産方法。』により、１つの駒識別マークでプリントが多数本多数駒原稿のどの駒に対応するプリントであるかを識別できるので、多数本多数駒原稿に跨がる複数のプリント注文に仕分ける場合であっても、仕分け後の確認作業の作業性を改善できる。また、仕分け作業で駒識別マークを利用すれば、仕分け作業の作業性も改善できる。また、プリントの駒識別マークを読み取ってプリント注文毎に仕分けてもよい。
【００９６】
（２２）『同じ多数本多数駒原稿に対して多数のプリント注文がある時のプリントを作成するためのプリント生産設備において、
前記多数本多数駒原稿の多数のプリント注文に関するプリント注文情報に基づきプリントを作成する自動焼付機と、
前記プリント注文情報に基づき作成されたプリントに前記多数本多数駒原稿に跨がる一連の識別マークであり、各駒毎の識別マークである駒識別マークを入れる印字機と、
を有することを特徴とする写真プリントの生産設備。』により、（２１）と同じ作用効果を有する。
【００９７】
また、自動焼付機と印字機とが分かれている方が、印字と焼付とを同期させるための印字や焼付の効率の低下がなく好ましい。
【００９８】
また、『さらに、前記自動焼付機で作成されたプリントを、前記印字機で駒識別マークを入れる前に、現像処理する自動現像機と、前記印字機で駒識別マークを入れた後、ソータで作成されたプリントをプリント注文毎に仕分ける前に、作成されたプリントを駒毎にカットするカッターと、を有する』ことにより、印字機による印字が現像処理により薄れたり消えたりすることがなく、印字も連続的に行えるので、印字速度も速くできる。また、印字を光学的に読み取る時に、誤読率が低くなる。
【００９９】
また、印字機としては、自動焼付機と一体に設けられていても、別に設けられていてもよく、また、サブの焼付機であっても、熱転写方式の印字機であっても、インパクト型の印字機であっても、インクジェット型の印字機であっても、電子写真方式の印字機であってもよい。だが、『前記印字機が駒識別マークを現像処理されたプリントの表面・裏面または両面に溶融型熱転写方式で設けるものである』ことが好ましく、これにより、印字がくっきりとしたものになるので、仕分け作業の作業性や仕分け後の確認作業の作業性をより改善できる。また、『前記印字機が、さらに絵柄、記号、文字やコードを印字する』ことにより、単純な構成で、さらにプリントの付加価値を高めることができる。そして、『印字機をプログラム制御で制御する』と、絵柄、記号、文字の縦・横の大きさや、絵柄、記号、文字、コードの内容を自在に設定できるので、例えば、１駒毎に絵柄、記号、文字の縦・横の大きさや絵柄、記号、文字、コードの内容を変えることができる。
【０１００】
また、『さらに、前記自動焼付機でプリントを作成する前に、前記写真フィルムの各駒の天地情報を判定するプレ判定機を有し、前記印字機が前記各駒の天地情報に基づき、その天地方向に合わせて、さらに絵柄や文字を印字すること』により、単純な構成で、さらにプリントの付加価値を高めることができる。
【０１０１】
また、『さらに、印字機により入れられたプリントの駒識別マークを読み取り、作成されたプリントをプリント注文毎に仕分けるソータを有して』いてもよい。
【０１０２】
（第一発明〜第八発明の共通事項）
『顧客のプリント注文の注文枚数が所定枚数より多い場合、顧客のプリント注文を複数に分割し、分割された顧客のプリント注文のそれぞれを前記プリント注文として扱うこと』により、顧客のプリント注文の注文枚数が非常に多い場合でも、適切な量毎に扱うことができるので、後の処理が簡単にできたり、プリントをソータのビンから取り出しやすくなったり、袋にプリントを入れやすくなったりする。
【０１０３】
（第九発明）
（２３）『多数駒原稿の複数の駒のプリントを連続的に作成するプリント生産方法において、
多数駒原稿の少なくともプリントを作成する駒の天地を示す天地情報を入力し、
前記天地情報に基づき、文字をプリントに入れることを特徴とする写真プリントの生産方法。』により、プリントの写真の向きと文字の向きとを簡単に整合させることができる。
【０１０４】
（２４）『前記天地情報に基づき、プリントに入れる文字の向きを制御することを特徴とする（２３）の写真プリントの生産方法。』により、プリントの写真の向きと文字の向きとをより簡単に整合させることができる。
【０１０５】
（２５）『多数駒原稿の複数の駒のプリントを連続的に作成するためのプリント生産設備において、
多数駒原稿の少なくともプリントを作成する駒の天地を示す天地情報を入力するための天地情報入力装置と、
前記多数駒原稿から、前記天地情報入力装置により入力された天地情報に基づき文字を入れたプリントを、連続的に作成するプリント作成機と、
を有することを特徴とする写真プリントの生産設備。』により、（２３）と同様の効果が得られる。
【０１０６】
（２６）『前記プリント作成機が、
前記多数駒原稿からプリントを連続的に作成するコピー機と、
前記コピー機により連続的に作成されたプリントに、前記天地情報入力装置により入力された天地情報に基づき文字の向きを制御しながら、文字をプリントに入れる印字機と、
を有することを特徴とする（２５）の写真プリントの生産設備。』により、さらに好ましい効果が得られる。この印字機としては、コピー機と一体に設けられていても、別に設けられていてもよく、また、サブのコピー機であっても、熱転写方式の印字機であっても、インパクト型の印字機であっても、インクジェット型の印字機であっても、電子写真方式の印字機であってもよい。
【０１０７】
（第十発明）
（２７）『多数駒原稿の複数の駒のプリントを連続的に作成するプリント生産方法において、
多数駒原稿の少なくともプリントを作成する駒の天地を示す天地情報を入力し、
前記天地情報に基づき、枠をプリントに入れることを特徴とする写真プリントの生産方法。』により、写真の向きと枠とを簡単に整合させることができる。
【０１０８】
（２８）『前記天地情報に基づき、プリントに入れる枠の位置または大きさを制御することを特徴とする（２７）の写真プリントの生産方法。』により、写真の向きと枠の位置または大きさを簡単に整合させることができる。
【０１０９】
（２９）『前記枠が文字枠であり、前記天地情報に基づき、文字をプリントの枠に入れることを特徴とする（２７）または（２８）の写真プリントの生産方法。』により、写真の向きと文字枠とを簡単に整合させることができる。
【０１１０】
（３０）『多数駒原稿の複数の駒のプリントを連続的に作成するためのプリント生産設備において、
多数駒原稿の少なくともプリントを作成する駒の天地を示す天地情報を入力するための天地情報入力装置と、
前記多数駒原稿から、前記天地情報入力装置により入力された天地情報に基づき枠をプリントに入れたプリントを連続的に作成するプリント作成機と、
を有することを特徴とする写真プリントの生産設備。』により（２７）と同様の効果が得られる。
【０１１１】
（３１）『前記プリント作成機が、前記天地情報に基づき、プリントに入れる枠の位置または大きさを制御する制御手段を有することを特徴とする（３０）の写真プリントの生産設備。』により（２８）と同様な効果が得られる。
【０１１２】
（３２）『前記プリント作成機が、
前記多数駒原稿から、枠を入れたプリントを連続的に作成するコピー機と、
前記コピー機により作成されたプリントに、前記天地情報入力装置により入力された天地情報に基づき文字の向きを制御しながら、文字をプリントの枠に入れる印字機と、
を有することを特徴とする（３０）または（３１）の写真プリントの生産設備。』により、写真の向きと文字枠と文字の向きを簡単に整合させることができる。この印字機としては、自動焼付機と一体に設けられていても、別に設けられていてもよく、また、サブの焼付機であっても、熱転写方式の印字機であっても、インパクト型の印字機であっても、インクジェット型の印字機であっても、電子写真方式の印字機であってもよい。
【０１１３】
（第十一発明）
（３３）『一連の識別マークが付された多数の見本プリントについてのプリント注文を受けるための受注シートであって、
所定の箇所に一連の識別マークが所定の配列で印刷されており、プリント注文する見本プリントに付された識別マークと同じ受注シート上の識別マークに印を書き入れることにより、プリントを注文する駒に関するプリント注文情報を記入できる受注シートにおいて、
光学的に読み取られうるものであり、
前記印刷が、可視光波長の少なくとも一部の波長の光を実質的に吸収するものであり、特定波長の光に対して吸収しないものであることを特徴とする受注シート。』
により、注文者は識別マークを書かなくても、識別マークに○や×などの印を書き入れるだけでよく、注文者の注文作業が簡単であり、また、受注作業も光学的読取により自動化され、入力間違いなども発生しにくく、しかも、一連の識別マークが所定の配列で印刷されている所定の箇所の光学的読み取りは印の位置を読み取るだけなので、荒い読み取りで十分であり、光学的読み取りを高速にすることができる。
【０１１４】
（３４）『ＯＭＲまたはＯＣＲ用シートであることを特徴とする（３３）の受注シート。』であることが好ましい。
【０１１５】
（３５）『一連の識別マークが付された多数の見本プリントのプリント注文を受注処理するための受注処理方法であって、
所定の箇所に一連の識別マークが所定の配列で印刷されている受注シートであり、前記印刷が可視光波長の少なくとも一部の波長の光を実質的に吸収する印刷であり、特定波長の光に対して吸収しない印刷である受注シートを配付し、
プリント注文する見本プリントに付された識別マークと同じ受注シート上の識別マークに、少なくとも前記特定波長の光を吸収する筆記具で、印を書き入れることにより、プリントを注文する駒に関するプリント注文情報を記入し、
前記特定波長の光で、前記受注シート上に書き入れられたプリント注文情報を読み取ることを特徴とする受注処理方法。』により、注文者は識別マークを書かなくても、識別マークに○や×などの印を書き入れるだけでよく、注文者の注文作業が簡単であり、また、受注作業も自動化され、入力間違いなども発生しにくく、しかも、一連の識別マークが所定の配列で印刷されている所定の箇所の印の位置を読み取るだけなので、荒い読み取りで十分であり、読み取りを高速にすることができる。
【０１１６】
（３６）『前記受注シートがＯＭＲまたはＯＣＲ用シートであり、前記受注シートの読み取りにＯＭＲまたはＯＣＲを用いることを特徴とする（３５）の受注処理方法。』であることが好ましい。
【０１１７】
ＯＣＲを用いた具体例を実施例１・ＯＭＲを用いた具体例を実施例２に示す。
【０１１８】
【実施例】
なお、下記に示す実施例は、発明の理解のために具体例の一例を記載しているのであり、本件出願の発明の技術的範囲はこれにより限定されない。
【０１１９】
（実施例１）
（大まかな作成業務の流れ）
本実施例の学校や団体の行事写真などの写真の大まかな作成業務の流れを図５を用いて説明する。
【０１２０】
ステップＳ０１で、団体や学校で行事の計画が立てられ、写真館やＤＰ店などに写真撮影を依頼するか決められる。そして、団体や学校が写真館やＤＰ店などに写真撮影を依頼すると、ステップＳ０２で、写真館またはＤＰ店などがカメラマンの派遣や何枚程度写真を撮影するかなどの段取りを決める。ステップＳ０３で、段取りに基づいて行事の写真撮影が行われる。ステップＳ０４で、撮影されたフィルムは回収され、また、その行事の写真を注文するだろう生徒などのお客様の名簿を預かって、ラボに送られる。
【０１２１】
ステップＳ０５では、ラボは送られたフィルムを現像処理し、処理されたフィルムをロールフィルムにして、このロールフィルムから見本プリントを作成する。この見本プリントには、従来と異なり、複数の写真フィルムに跨がる一連の識別マークとして写真番号が付されているので、ラボ作業者の見本プリントの作成が簡単で間違いなく作ることができる。そして、ラボ作業者は、作成された見本プリントから、模造紙に見本プリントを、見本プリントに付されている一連の識別マークを見ながら、一連の識別マークの順に貼り並べ、それぞれの見本プリントの傍に通し番号を付した図２２に示すような見本パネルを作成する。また、その行事の写真を注文するだろう生徒などのお客様の名簿から、その行事の写真を注文するだろう生徒などのお客様の所属・名前などを記入したＯＣＲ用の受注シートを作成する。この受注シートには適切な順番で（例えば、学校写真では、学年、クラス、男女毎に仕分け、アイウエオ順にならべるなど）、順に受注シートＮｏ．を付す。そして、その時のプリント条件を記憶したフロッピーディスクとロールフィルムは、注文プリントの時のためにラボに保管される。そして、作成された見本パネルと作成されたＯＣＲ用受注シートとを写真館またはＤＰ店などに送る。なお、見本パネルは１つだけとは限られず、複数作成されることもある。
【０１２２】
ここで、ＯＣＲ用受注シートは、図１８に示すように、注文袋になっており、その表紙にプリント注文を識別するプリント注文識別情報とプリント注文情報が記入できるようになっている。プリント注文識別情報は、プリント注文を識別するためのもので、注文者の所属（図１６では、学校・学年・クラス・番号）、注文者の名前（漢字・ふりがな）からなっている。また、プリント注文情報は、所定の配列で所定の場所に写真番号を羅列した一覧表の中で、プリントを注文する駒の番号を○で囲むことで示される。ここで、ＯＣＲ用受注シートの欄および写真番号を羅列した一覧表などは、オレンジ色の赤色光を完全に反射するインクで印刷されている。そして、注文者の所属（図１６では、学校・学年・クラス・番号）、注文者の名前（漢字・ふりがな）およびプリントを注文する駒の番号を囲む○は、黒色のペンやボールペンなどの筆記具で記載されるように指導される。このＯＣＲ用受注シートはＯＣＲで赤色光により読み取りされる。従って、記載された所は赤色光を吸収し、印刷は完全に反射するので、簡単に読み取ることができる。また、プリント注文合計枚数を記入するプリント注文合計枚数記入欄があり、ＯＣＲで読み取ったプリント注文枚数とプリント注文合計枚数記入欄のプリント注文合計枚数が一致するかどうか確認できるようになっている。
【０１２３】
ステップＳ０６で、写真館またはＤＰ店などは、作成された見本パネルと作成されたＯＣＲ用受注シートとを学校や団体に渡す。ステップＳ０７で、学校や団体は各人にＯＣＲ用受注シートを渡し、見本パネルを展示する。ステップＳ０８で、ＯＣＲ用受注シートに各人の注文したい写真の写真番号を○で囲み、注文を回収しにきた写真館またはＤＰ店などに渡す。ステップＳ０９で、回収されたＯＣＲ用受注シートはラボに渡される。
【０１２４】
ステップＳ１０で、ラボでは、渡されたＯＣＲ用受注シートを基に、プリント条件を記憶したフロッピーディスクとロールフィルムから、注文プリントを作成し、ＯＣＲ用受注シート毎に仕分けし袋詰めをして、写真館またはＤＰ店などに納品する。また、ロールフィルムはクレームに対応するためにロールフィルム保管庫に保管する。
【０１２５】
ステップＳ１１で、写真館またはＤＰ店などは、仕分けされ袋詰めされた写真を学校や団体に納品する。そして、ステップＳ１２で、学校や団体は各人へ納品された写真を配付する。そして、各人から不良プリントやプリントの不足などでクレームがあると、ステップＳ１３で、写真館またはＤＰ店などがラボにクレームの内容を通知する。
【０１２６】
そして、ステップＳ１４で、クレームの内容に基づき、ロールフィルムから、再プリントを行い、仕分けし袋詰めをして、写真館またはＤＰ店などに納品する。この時、写真館またはＤＰ店などが保管し易いようにロールフィルムもカットフィルムにして納品する。ステップＳ１５で、写真館またはＤＰ店などは、仕分けされ袋詰めされたクレームの写真を学校や団体に納品する。そして、ステップＳ１６で、学校や団体は各人へ納品されたクレームの写真を配付する。
【０１２７】
もし、それでもクレームが発生した時は、写真館またはＤＰ店などが保持するミニラボ機でカットフィルムから焼き増し処理を行い対応する。
【０１２８】
（見本作成業務の流れ）
ステップＳ０５のラボが送られたフィルムから見本プリントを作成するまでの本実施例の流れを図６を基に説明する。図６において、太線はフィルムの流れ、二重線はペーパーの流れ、点線はフロッピーディスクの流れを示す。ラボに送られた撮影済フィルム２１の容器からの先端出しを行い、フィルムの先端に、フィルムの識別番号を表示したシールを添付する。そして、暗室下でフィルム現像機１でフィルムの現像を行う。現像されたフィルムは、フィルムの識別番号を表示したシールを基に、１オーダ毎にフィルムスプライサー２でロールフィルムにスプライスされる。ここまでは、従来と同じである。
【０１２９】
スプライスされたロールフィルムはプレリードノッチャー３で、自動的に、駒位置、フィルム品種、駒番号を読み取り、ノッチを付し、順次フィルム番号を付けられると同時に、ラボ作業者が、焼付条件（露光補正条件）、天地情報を入力する。そして、初期化されたフロッピーディスクの焼付データファイルＰＤＦに、フィルム番号とそのフィルムの駒番号で識別できるようにフィルム番号及び駒番号が入力され、そして、ノッチ位置、焼付条件（露光補正条件）、フィルム品種、天地情報も焼付データとして入力される。なお、初期化されたフロッピーディスクには、予めファイル管理ファイルＦＣＦとトレースデータファイルＴＤＦと焼付データファイルＰＤＦと印字データファイルＩＤＦ．０とを設定記録されている。
【０１３０】
そして、受注受付処理装置４でこのフロッピーディスクに、全ての駒の焼付枚数を必要な見本の数に設定した見本プリント枚数ファイル（焼付枚数データファイルＮＤＦ．０）を作成する。この時、写真館またはＤＰ店などから特別に特定の駒だけの見本の注文が有れば、その分だけ設定数を変える。また、焼付データファイルＰＤＦに、フィルム番号とそのフィルムの駒番号で識別できるように、複数の写真フィルムに跨がる一連の識別マークであり、各駒毎の識別マークである写真番号が入力される。また、受注受付処理装置４では、写真館またはＤＰ店などからの仕様に従い、共通の文字又は絵柄（例えば、『××小学校』とか、『第△回体育大会』など）をプリントに印字する時は、その印字データを設定入力する。印字データは、印字文字コード、印字文字書体、印字の向き、と印字領域とからなっており、印字内容を入力するだけで、印字文字コードと印字文字書体は自動的に設定され、印字領域と印字の向きは天地情報と入力された印字内容から自動的に設定される。そして、これら印字文字コード、印字文字書体、印字の向き、と印字領域は印字データとして、また、焼付枚数データはプリント枚数データとして、印字データファイルＩＤＦ．０に入力する。なお、印字内容は、駒毎に設定してもよいし、１オーダに共通して設定してもよい。そして、印字データの設定と同時に、受注受付処理装置４は、読み出された焼付データファイルＰＤＦの天地情報と、入力された印字内容に基づき、印字のための枠である白枠を形成するためのペーパーマスク領域を求めて、焼付データの１つとして、焼付データファイルＰＤＦに設定入力する。
【０１３１】
次に、自動焼付機５でフロッピーディスクの焼付データファイルＰＤＦと見本プリント枚数ファイル（焼付枚数データファイルＮＤＦ．０）の情報を読み取り、読み取った焼付データと見本プリント枚数に基づいて、プリント作業を行う。この時、ロールペーパーに焼付ける余地がなくなるなどでロールペーパーを切替えた時や、トラブルなどで焼付位置がズレたり、焼付ミスが発生した場合は、自動焼付機５は、その旨をトレースデータとして、フロッピーディスクのトレースデータファイルＴＤＦに記憶させる。また、焼付時のペーパーマスク１６０４は、後述する焼付プリント作成と同様に焼付データファイルＰＤＦの焼付データのペーパーマスク領域に基づいて制御される。
【０１３２】
プリント作業が終了すると、使用したロールフィルムはロールフィルム保管庫１０に保管される。また、プリントされたロールペーパーはペーパー現像機６で現像される。そして、印字装置７が、フロッピーディスクのトレースデータファイルＴＤＦを読み出し、読み出したトレースデータに基づいて、印字データファイルＩＤＦ．０を読み出し、読み出したプリント枚数データと印字データに基づいて、現像されたロールペーパーの各駒の裏に写真番号を印字する。印字が終了すると、フロッピーディスクはフロッピーディスク保管庫１１に保管される。
【０１３３】
そして、ロールペーパーは検査機８で検査され、不良品はチェックされる。不良品と判断されたプリントは、再度、別系統で、焼付・現像・印字・検査され、以下の仕分け作業がされる。従って、見本プリント作成時に不良プリントと交換する。
【０１３４】
検査されたロールペーパーはプリントカッター９で各駒毎にカットされ、見本プリント２２が作成される。そして、ラボ作業者は、見本プリント２２に付されている写真番号を見ながら、見本プリント２２を傍に通し番号を付したパネルに、一連の写真番号の順に貼り並べ、それぞれの見本プリントの図２２に示すような傍に一連の写真番号が付された見本プリント２２の見本パネル３１を作成する。見本パネル３１として、写真館又はＤＰ店などに納品される。
【０１３５】
なお、写真館またはＤＰ店などから特別に特定の駒だけの見本の注文が有った場合や、依頼された見本パネルの数が多い場合は、次に（注文プリント作成業務の流れ）で説明するように、仕分けデータファイル（この場合、仕分けデータファイルＳＤＦ．０）を作成し、ソータで仕分ける。
【０１３６】
（注文プリント作成業務の流れ）
ステップＳ１０のラボが渡されたＯＣＲ用受注シートを基に、プリント条件を記憶したフロッピーディスクとロールフィルムから、注文プリントを作成し、ＯＣＲ用受注シート毎に仕分けし袋詰めをして、写真館またはＤＰ店などに納品するまでの本実施例の流れを図７を基に説明する。図７においても、太線はフィルムの流れ、二重線はペーパーの流れ、点線はフロッピーディスクの流れを示す。
【０１３７】
まず、受注シートを受注シートＮｏ．順に整理する。そして、注文者の名前と各人の注文したい写真を、ＯＣＲ用リーダである注文内容読取装置１２で読み取り、逐次、読み取った情報を高速データ通信用の線２４で結ばれた受注受付処理装置４に送信する。ここで、プリント注文情報は、所定の配列で所定の場所に写真番号を羅列した一覧表の中で、ＯＣＲ用受注シート上の○で囲まれたプリントを注文する駒の番号を送るので、高速に情報を転送することができる。また、ＯＣＲ用受注シート上に記された○印の位置だけ送るようにすれば、さらに高速に情報を転送することができる。この場合、受注受付処理装置４で、○印の位置からプリントを注文する駒の番号に変換することは言うまでもない。図８に示すように、受注受付処理装置４は、送信されたデータから、ＯＣＲ用受注シート毎の注文写真のリストを作成し、ＯＣＲ用受注シートが所定の数（図８では９０）に達すると、各写真駒毎の注文枚数の集計作業を行い、フロッピーディスクに、焼付枚数データとして焼付枚数データファイルを設定記憶する作業を行う。また、設定入力された共通の文字及び絵柄に関する印字データから、印字データファイルを作成し、フロッピーディスクに、印字データファイルを設定記憶する。また、焼付枚数データから、仕分けデータァイルを作成し、フロッピーディスクに、仕分けデータファイルを設定記憶する。そして、次に送信されたデータの蓄積を開始し、最後のＯＣＲ用受注シートのデータが送られてくるまで、これを繰り返す。このようにして、図９に示すようなファイル構造の記憶媒体であるフロッピーディスクが作成される。
【０１３８】
なお、見本プリント作成の段階ではなく、注文プリント作成の段階で、最初に、受注受付処理装置４で、写真館またはＤＰ店などからの仕様に従い、共通の文字又は絵柄（例えば、『××小学校』とか、『第△回体育大会』など）をプリントに印字する時は、その印字データを設定入力してもよい。
【０１３９】
ここで、記憶媒体であるフロッピーディスクのファイル構造を図９を基に説明する。フロッピーディスクには、図９に示すようなファイルが存在する。ファイル管理ファイルＦＣＦ、トレースデータファイルＴＤＦ、焼付データファイルＰＤＦ、焼付枚数データファイルＮＤＦ．０〜ｎ、印字データファイルＩＤＦ．０〜ｎ、仕分けデータファイルＳＤＦ．０〜ｎである。ファイル管理ファイルＦＣＦはフロッピーディスク内に記憶されているファイルを管理するためのファイルであり、新しいファイルが設けられたり、ファイルの内容が更新される度に書換えられる。トレースデータファイルＴＤＦは、プリントする時にプリントされたロールペーパーがどの組の焼付枚数データファイルからどのような順序でプリントされたか記憶するためのものである。そして、トレースデータファイルＴＤＦは、プリントされたロールペーパー（複数のロールペーパーに跨がることが多いので）の識別記号とその順、ペーパースタート、ペーパーエンド、１つのロールペーパーにプリントされた焼付データファイルの順、焼付データファイルの開始、焼付データファイルの終了、ロールフィルムの順、ロールフィルムの開始、ロールフィルムの終了、ペーパー空送り、ペーパー空送り後の焼付の開始、焼付ミス・焼付位置ズレ・重複プリントなどが発生した場合の当該駒識別マークなどのプリント順情報、など記憶するもので、自動焼付機５により記憶させられる。焼付データファイルＰＤＦには、複数の写真フィルムに跨がる一連の識別マークであり、各駒毎の識別マークである駒識別マークとして写真番号と、各駒の焼付に必要な情報が記憶される。その内訳は、フィルム番号及び駒番号と、写真番号、ノッチ位置、画面天地情報との対応、フィルム品種、焼付条件（露光補正条件）、ペーパーマスク領域などである。焼付枚数データファイルＮＤＦ、印字データファイルＩＤＦ、仕分けデータファイルＳＤＦは、それぞれ見本プリント用のファイルであることを示す識別子０を付けたファイルと、ＯＣＲ用受注シートをｎ組に分割したデータの第Ｘ番目の組のファイルであることを示す識別子Ｘを付けたファイルからなっている。焼付枚数データファイルＮＤＦは、各駒に対する、各組の合計のプリント枚数と、各組中のＯＣＲ用受注シートの注文内容を記憶している。印字データファイルＩＤＦは、各駒に対する、各組の合計のプリント枚数を含むプリント枚数データと、印字文字コード、印字文字書体、印字の向きと印字領域とを含む印字データとを記憶している。仕分けデータファイルＳＤＦは、各駒に対する、各組の合計のプリント枚数を含むプリント枚数データと、仕分けされる仕分けビンを含む仕分けデータとを記憶している。
【０１４０】
そして、ロールフィルム保管庫１０に保管されているロールフィルムを運び出し、図１０に示す自動焼付機５に、フロッピーディスクドライブ１６２１にフロッピーディスク１６２２をセットする。セットされると、自動焼付機５は、フロッピーディスク１６２２のトレースデータファイルＴＤＦを読み出し、読み出したトレースデータに基づいて、ＯＣＲ用受注シートをｎ組に分割したデータの第Ｘ番目の組をプリントするとき、フロッピーディスクの焼付枚数データファイルＮＤＦ．Ｘと焼付データファイルＰＤＦから焼付枚数データと焼付データを読み出し、読み出した焼付枚数データと焼付データに基づいて、露光とフィルムＦとペーパーＰの搬送を制御しながら、プリント作業を行う。ペーパーＰの搬送は、未露光ロールペーパー用マガジン１６２３内の未露光のロールペーパー１６０１を、送り込みローラ１６０２でプリンタ内に送り込みながら、テンションローラ１６０３及び搬送ローラ１６０５で、ペーパーマスク１６０４上のペーパーのテンションをかけながら搬送し、アキュームとして機能するテンションローラ１６０６を通って、送り出しローラ１６０７で送り出され、露光済ロールペーパー用マガジン１６２４内の露光済ロールペーパー１６０８として巻き取られる。フィルムＦの搬送は、ロールフィルム１６３１から、アキュームとして機能するテンションローラ１６３２をかまして、搬送ローラ１６３３でフィルムの駒をフィルムマスク１６３６上に位置決めしながら搬送し、アキュームとして機能するテンションローラ１６３４を通って、ロールフィルム１６３５として巻き取られる。露光は、色光カットフィルター１６１２とシャッターボックス１６１５内のダークシャッタにより露光制御しながら、露光用光源１６１１の光源光を、色光カットフィルター１６１２、拡散ボックス１６１３を通して、フィルムマスク１６３６に位置決めされたフィルムの駒に照らして、照らされたフィルムの駒の画像を、レンズ１６１４を通して、ペーパーマスク１６０４上のペーパーに焼付露光される。この際、ペーパーマスク１６０４により覆われない領域が長方形を保ちながら、プリントの上下左右にあるペーパーマスク１６０４の各ペーパーマスク片はそれぞれ内外に進退可能で、その位置がそれぞれ制御可能であるので、ペーパーマスク１６０４により覆われる領域は、任意に設定でき、また、読み出された焼付データのペーパーマスク領域に基づいて、１枚毎に制御される。従って、印字用の白枠が、例えば図１２に示すように、写真番号９や１１のプリントでは下側に設けられ、写真番号１０のプリントでは右側に設けられているように、写真の天地に応じて設けられる。そして、分割された組の焼付が済み、ロールフィルム１６３５として巻き取られると、フィルムＦは逆送され、ロールフィルム１６３１として巻き戻される。この時、ロールペーパーに焼付る余地がなくなるなどでロールペーパーを切替えた時や、トラブルなどで焼付位置がズレたり、焼付ミスが発生した場合は、自動焼付機５は、その旨をトレースデータとして、フロッピーディスクのトレースデータファイルＴＤＦに記憶させる。そして、使用したロールフィルムはロールフィルム保管庫１０に保管される。また、マガジン内のロールペーパーを全て焼付たり、１オーダ分全てのプリント作業が終了すると、プリントされたロールペーパーはペーパー現像機に送られる。
【０１４１】
プリントされたロールペーパーはペーパー現像機６で現像される。そして、現像されたロールペーパーは印字装置７に掛けられる。図１１に示す印字装置７は、フロッピーディスクのトレースデータファイルＴＤＦを読み出し、読み出したトレースデータに基づいて、フロッピーディスクの印字データファイルＩＤＦから印字データとプリント枚数データを読み出し、読み出したプリント枚数データと印字データに基づいて、現像されたロールペーパーの各駒の表と裏に複数の写真フィルムに跨がる一連の写真番号と共通の文字又は絵柄（例えば、『××小学校』とか、『第△回体育大会』など）を印字する。
【０１４２】
具体的に説明すると、図１１に示す印字装置７のデータ処理装置４１０１のフロッピーディスクドライブ４１０２で、フロッピーディスク４１０５のトレースデータファイルＴＤＦを読み出し、読み出したトレースデータに基づいて、フロッピーディスクの印字データファイルＩＤＦから印字データとプリント枚数データを読み出し、読み出したプリント枚数データと印字データ（印字文字コード、印字文字書体、印字の向きと印字領域を有する）に基づいて、現像されたロールペーパーの各駒の表と裏に印字される複数の写真フィルムに跨がる一連の写真番号と共通の文字又は絵柄を印字するための印字制御データを作成し、ＳＣＳＩ線４１０６で印字機本体４１１０に送信する。印字機本体４１１０では、送信された印字制御データに基づいて、現像されたロールペーパー４１１１を搬送ローラ４１１２、４１１３で搬送させ、感熱転写用インクリボンロール４１２１を巻き出し、そして、感熱転写用ヘッド４１２２で感熱転写しながら、印字する。この印字制御データは、印字文字コード、印字文字書体、印字の向きと印字領域を有する印字データから作成されるので、例えば図１２に示すように、写真番号９および１１では写真の天地が上に向いている場合下側の白枠内に上向きの文字を、写真番号１０では写真の天地が左に向いている場合右側の白枠内に左向きの文字をというように、ロールペーパーの各駒の表に、複数の写真フィルムに跨がる一連の写真番号２３０１と共通の文字（図１２では『××小学校』）２３０４を、写真の天地と合わせて印字することができる。なお、印字ヘッドを裏面側にも追加した場合には、さらに、ロールペーパーの各駒の裏に、複数の写真フィルムに跨がる一連の写真番号２３０２とそれに対応するバーコード２３０３を、一定の向きに印字する。この場合、表面の写真番号２３０１の印字を省略してもよい。また、裏面印字ヘッドを設ける代わりに、表面に透明印字ヘッドを設けて可視光に対して透明で赤外光または紫外光に対して不透明なバーコードを印字してもよい。そして、印字されたロールペーパーをテンショナー４１１４でテンションをかけながら、印字済ロールペーパー４１１５として巻き取られる。ここで、トラブルが発生するなどした時は、ＣＲＴ４１０４を見ながら、キーボード４１０３を操作しながら、操作部４１３１を操作して、トラブルの除去を行う。
【０１４３】
そして、ロールペーパーは検査機８で検査され、不良品はチェックされる。不良品と判断されたプリントは、再度、別系統で、焼付・現像・印字・検査・仕分けされ、注文袋に袋詰めされる。従って、不良プリントと再度焼付けたプリントの両方が注文袋に袋詰めされる。
【０１４４】
そして、図１３及び図１４に示すプリントカッターソーター１５が、検査されたロールペーパーを各駒毎にカットし、フロッピーディスクの仕分けデータファイルＳＤＦから仕分けデータとプリント枚数データを読み出し、読み出したプリント枚数データと仕分けデータに基づいて、カットされたプリントを、図１４の仕分機のビンに、各ＯＣＲ用受注シート毎に仕分けされる。
【０１４５】
これを詳しく説明する。プリントカッターソーター１５のプリントカッター４２０１が、検査されたロールペーパー４２０２を巻きだし、各駒毎にカットする。また、パソコン４２２０のフロッピーディスクドライブにフロッピーディスク４２２１をセットし、フロッピーディスクのトレースデータファイルＴＤＦを読み出し、読み出したトレースデータに基づいて、フロッピーディスクの仕分けデータファイルＳＤＦから仕分けデータとプリント枚数データを読み出す。読み出した仕分けデータとプリント枚数データに基づいて、プリントカッターソーター１５のソータ４２１０の仕分機４２１２の適切なビン４２１３にソートされる。ここで、もしトラブルなどが発生したら、操作部４２１４を操作し、トラブルを除去する。このようにして、プリントを各受注シート毎に仕分ける。ビン４２１３には番号が付されており、その後の袋詰め処理で間違えが生じないようにしている。
【０１４６】
なお、ここで、カットされたぺーパーは、ソータ４２１０の送出装置４２１１の裏面センサー４２１６で各駒の裏に印字されたバーコード２３０３を読み取り、表面センサー４２１５で各駒の表に印字された写真番号を読み取り、読み出した焼付枚数データと仕分けデータと印字データと照合し、照合したら、ソータ４２１０の仕分機４２１２の適切なビン４２１３にソートされるようにしてもよい。
【０１４７】
分割された組のプリントの仕分けが終わると、各ビンに仕分けられたプリントに印字されている写真番号と、受注シートの写真番号と注文枚数と照らし合わせながら、各プリント注文毎に、プリントの不足がないか速やかなチェックをすることができる。
【０１４８】
各プリント注文（受注シート）毎に仕分けられたプリントは、袋詰め装置１６で注文袋に袋詰めされる。袋詰めされたプリントは注文写真２５として、写真館又はＤＰ店などに納品される。
【０１４９】
（再プリント作成業務の流れ）
ステップＳ１４のラボからのクレームの内容に基づき、カットフィルムから、再プリントを行い、仕分けし袋詰めをして、写真館またはＤＰ店などに納品するまでの本実施例の流れを図１５を基に説明する。図１５においても、太線はフィルムの流れ、二重線はペーパーの流れ、点線はフロッピーディスクの流れを示す。
【０１５０】
図７の注文プリントの作成業務の流れと、写真館またはＤＰ店などからのクレームの内容に従って受注受付装置４で手作業の入力を行う以外は、『注文プリント作成業務』と同じ業務の流れで受注受付処理業務が流れる。なぜ、手作業かというと、クレーム時は、多くの場合注文プリントを袋詰めした注文袋に別に記載されるので、新しい注文袋を配付しないから注文内容読取装置１２で読み取れないのと、入力・作成しなければならない量が少ないからである。そして、受注受付装置４で集計作業を行い、焼付枚数データ（プリント枚数データ）を作成し、他は今までのデータを写すことにより、フロッピーディスクの焼付枚数データファイルＮＤＦ．Ｚ、印字データファイルＩＤＦ．Ｚ、仕分けデータファイルＳＤＦ．Ｚを作成する。
【０１５１】
そして、プレリードノッチャー３で、画像の品質に関するクレームの有った駒の露光補正条件を設定し直し、フロッピーディスクの焼付データファイルＰＤＦを設定記憶し直す。
【０１５２】
そして、自動焼付機５で、フロッピーディスクのトレースデータファイルＴＤＦを読み出し、読み出したトレースデータに基づいて、フロッピーディスクの焼付枚数データファイルＮＤＦ．Ｚと焼付データファイルＰＤＦから焼付枚数データと焼付データを読み出し、読み出した焼付枚数データと焼付データに基づいて、プリント作業を行う。プリント作業が終了すると、プリントされたロールペーパーはペーパー現像機６に送られる。
【０１５３】
そして、使用したロールフィルムはネガフィルムカッター１３で、適切な長さのシートフィルムに切断される。切断されたシートフィルムはフィルムエンベロッパー１４でエンベロップに挿入され、エンベロップ済フィルムとなる。
【０１５４】
また、プリントされたロールペーパーはペーパー現像機６で現像される。そして、印字装置７で、フロッピーディスクのトレースデータファイルＴＤＦを読み出し、読み出したトレースデータに基づいて、フロッピーディスクの印字データファイルＩＤＦ．Ｚから印字データとプリント枚数データとを読み出し、読み出したプリント枚数データと印字データに基づいて、現像されたロールペーパーの各駒の表と裏に複数の写真フィルムに跨がる一連の写真番号と共通の文字又は絵柄（例えば、『××小学校』とか、『第△回体育大会』など）を印字する。
【０１５５】
そして、ロールペーパーは検査機８で焼度・色調などを検査され、不良品はチェックされる。
【０１５６】
そして、プリントカッターソーター１５が、検査されたロールペーパーを各駒毎にカットし、フロッピーディスクの仕分けデータファイルＳＤＦ．Ｚから仕分けデータを読み出し、読み出したプリント枚数データと仕分けデータに基づいて、カットされたプリントを、各ＯＣＲ用受注シート毎に仕分けられる。
【０１５７】
各受注シート（プリント注文）毎に仕分けされたプリントは袋詰め装置１６で注文袋に袋詰めされる。袋詰めされたプリントは注文写真２５として、写真館又はＤＰ店などに納品される。
【０１５８】
（仕分け作業を人手で行った場合）
第一発明〜第五発明の場合、数百人分以上のプリント注文であっても、複数の組に分割し、分割された組毎にプリントを作成するので、一回あたりの仕分け作業が例えば数十人分にすることができる。そのようにすると仕分け作業を人手で行っても効率的であることを以下に示す。
【０１５９】
図２０を基に、仕分け作業２９を説明する。仕分けボックスの前の椅子に座っている女性が仕分け作業を行うオペレーターである。この図５の仕分けボックスは数十人用である。この仕分けボックスには、百の仕切りがあり、それぞれの仕切りには通し番号が付されている。この通し番号が各注文伝票の番号と一致する。また、このオペレーターの女性の手には各駒毎のプリント数枚があり、女性の影になって見えないが仕分けボックスが置いてある机に置いた各駒毎の注文者と数のリストに基づいて、プリントを各仕切りに、仕分ける。仕分けボックスのどこに該当する仕切りがあるかを探すのに手間取ることがなく、テキパキと仕分けていることがわかる。従って、数百人もの生徒からプリント注文をされる運動会や文化祭などの場合でも、図１９に示すような数百もの仕切りがある仕分けボックスの前で数人のオペレーターが作業することは必要でなく、大変、作業が能率的になる。
【０１６０】
なお、第一発明〜第五発明の場合、数十人分以下のプリント注文であっても、複数の組に分割し、分割された組毎にプリントを作成するので、一回あたりの仕分け作業の人数分を少なくすることができるので、仕分け作業がより効率的になることは言うまでもない。
【０１６１】
（実施例２）
本実施例は実施例１の変形例であり、実施例１がＯＣＲ用受注シートとＯＣＲ用リーダを用いるのに対して、本実施例はＯＭＲ用受注シートとＯＭＲ用リーダを用いる点のみが相違するので、（注文プリント作成業務の流れ）の該当する所のみ記載する。
【０１６２】
ＯＭＲ用受注シートは、図１７に示すようにプリント注文を識別するプリント注文識別情報とプリント注文情報が記入できるようになっている。プリント注文識別情報は、プリント注文を識別するためのもので、注文者の所属（図１６では、学校・学年・クラス・番号）、注文者の名前（漢字・ふりがな）からなっている。ＯＭＲ用受注シートには、注文者の名前と所属をＯＭＲで読み取るためのＯＭＲ用のマーク箇所を設けてある。また、プリント注文情報は前述したように、プリントを注文する駒からなっている。ＯＭＲ用受注シートには、複数の写真フィルムに跨がる一連の駒識別マークである写真番号が列記されており、また、前記写真番号のそれぞれに対応する位置に（本実施例では写真番号の数字の上に）発注を示すＯＭＲ用のマーク箇所を設けてある。ここで、ＯＭＲ用受注シートの欄および列記された写真番号などは、緑色光を完全に反射するインクで印刷されている。そして、注文者の所属（図１６では、学校・学年・クラス・番号）、注文者の名前（漢字・ふりがな）、プリントを注文する駒の番号を囲む○は、黒色のボールペンなどで記載されるように指導される。このＯＭＲ用受注シートはＯＭＲで緑色光により読み取られる。このようにすることにより、より精度の高い検出を容易に行うことができ、受注処理のミスを軽減できる。
【０１６３】
受注受付処理装置４で、写真館またはＤＰ店などからの仕様に従い、共通の文字又は絵柄（例えば、『××小学校』とか、『第○回体育大会』など）をプリントに印字する時は、その印字データを設定入力する。ＯＭＲ用の受注シートに、各人の名前と各人の注文したい写真の写真番号のそれぞれに対応する位置の発注を示すＯＭＲ用のマーク箇所をマークした受注シート２３に記載されている各人の名前と、各人の注文したい駒を、ＯＭＲ用リーダである注文内容読取装置１２で読み取り、逐次、読み取った情報を高速データ通信用の線２４で結ばれた受注受付処理装置４に送信する。
【０１６４】
（実施例３）
本実施例は実施例１や実施例２の変形例であり、実施例１や実施例２が『逐次分割された組毎に、前記ロールフィルム焼付原稿を先頭から後尾まで順次搬送させながら、前記ロールフィルム焼付原稿から焼付用写真感光材料に焼付け、焼付を終了したら前記ロールフィルム焼付原稿を巻き戻すことを、繰り返す』のに対して、本実施例は『分割された組の２組毎に、２組の始めの組では、前記ロールフィルム焼付原稿を第一の搬送方向に順次搬送させながら、前記ロールフィルム焼付原稿から焼付用写真感光材料に焼付け、２組の次の組では、第一の搬送方向と反対の第二の搬送方向に順次搬送させながら、前記ロールフィルム焼付原稿から焼付用写真感光材料に焼付けること、を繰り返す』点で相違するので、（注文プリント作成業務の流れ）の対応する所のみ記載する。
【０１６５】
実施例１と相違して、受注受付処理装置４は、トレースデータファイルＴＤＦに、奇数番目の集計作業の場合は、フィルム送り情報を正送りとして記憶させ、偶数番目の集計作業の場合は、フィルム送り情報を逆送りとして記憶させる。トレースデータファイルＴＤＦには、プリントする時にロールフィルムのフィルムや駒の関係を明確にするための、フィルムの駒数や接続関係、各ロールフィルム中に存在するフィルムの順、ロールフィルムが複数にわたる場合はロールフィルムの識別記号とその順などのフィルム順情報と、図示しないが、プリント時のフィルムの送り方向を示すフィルム送り情報と、プリントされたロールペーパー（複数のロールペーパーに跨がることが多いので）の識別記号とその順、１つのロールペーパーにプリントされたロールフィルムおよび各フィルムの順などのプリント順情報などが記憶されている。
【０１６６】
自動焼付機５では、当然、トレースデータファイルＴＤＦのフィルム送り方向情報により、利用する焼付枚数データファイルＮＤＦの焼付データと焼付枚数データの順番を制御することは言うまでもない。フィルムＦの搬送は、トレースデータファイルのトレースデータのフィルム送り情報と一致しているか、搬送開始時に確認しながら行われる。ロールフィルム１６３１から、アキュームとして機能するテンションローラ１６３２をかまして、搬送ローラ１６３３でフィルムマスク１６３６にフィルムの駒を位置決めしながら搬送し、アキュームとして機能するテンションローラ１６３４を通って、ロールフィルム１６３５として巻き取られながら焼付られる。そして、ロールフィルム１６３５として巻き終わると、フィルムＦは逆送りされながら、ロールフィルム１６３５から、アキュームとして機能するテンションローラ１６３４をかまして、搬送ローラ１６３３でフィルムマスク１６３６にフィルムの駒を位置決めしながら搬送し、アキュームとして機能するテンションローラ１６３２を通って、ロールフィルム１６３１として巻き取られながら焼付られる。このように、分割された組の２組毎に、２組の始めの組では、前記ロールフィルム焼付原稿を第一の搬送方向に順次搬送させながら、前記ロールフィルム焼付原稿から焼付用写真感光材料に焼付け、２組の次の組では、第一の搬送方向と反対の第二の搬送方向に順次搬送させながら、前記ロールフィルム焼付原稿から焼付用写真感光材料に焼付けること、を繰り返す。
【０１６７】
また、図１１に示す印字装置７でも、フロッピーディスクのトレースデータファイルＴＤＦを読み出し、読み出したトレースデータに基づいて、フロッピーディスクの印字データファイルＩＤＦから印字データとプリント枚数データを読み出し、読み出した焼付枚数データと印字データと天地情報に基づいて、現像されたロールペーパーの各駒の表と裏に複数の写真フィルムに跨がる一連の識別マークと共通の文字又は絵柄（例えば、『××小学校』とか、『第△回体育大会』など）を印字する。ここで、当然、トレースデータファイルＴＤＦのフィルム送り方向情報により、利用する印字データファイルＩＤＦの印字データとプリント枚数データの順番を制御することは言うまでもない。
【０１６８】
また、図１３および図１４に示すプリントカッターソーター１５でも、フロッピーディスクのトレースデータファイルＴＤＦを読み出し、読み出したトレースデータに基づいて、フロッピーディスクの仕分けデータファイルＳＤＦから仕分けデータとプリント枚数データを読み出し、読み出した焼付枚数データと印字データに基づいて、カットされたプリントを各プリント注文（受注袋）毎に仕分ける。ここで、当然、トレースデータファイルＴＤＦのフィルム送り方向情報により、利用する仕分けデータファイルＳＤＦの仕分けデータとプリント枚数データの順番を制御することは言うまでもない。
【０１６９】
（実施例４）
本実施例は実施例１〜実施例３の変形例であり、実施例１〜実施例３が『受注シートが所定の数（図８では９０）に達すると、各写真駒毎の注文枚数の集計作業を行い、フロッピーディスクに、焼付枚数データとして焼付枚数データファイルを設定記憶する作業を行う』のに対し、本実施例は『１オーダ全てのＯＣＲ用受注シートを注文内容読取装置１２で読み取り記憶した後、１組がソータのビン数以下になるように、また、後処理がしやすくなるように、プリント注文を複数の組に分割する作業を行い、その後、分割された組毎に、各写真駒毎の注文枚数の集計作業を行い、フロッピーディスクに、焼付枚数データとして焼付枚数データファイルを設定記憶する作業を行う。』点でのみ相違する。これにより、受注シートを受注シートＮｏ．順に整理する必要性がなくなる。
【０１７０】
（実施例５）
本実施例は実施例４の変形例であり、実施例４が見本プリントに使用したプリントとは別に発注者用のプリントを新たに作成するのに対し、本実施例は見本プリントに使用したプリントも含めて発注者に渡すものである。
【０１７１】
１オーダ全てのＯＣＲ用受注シートを注文内容読取装置１２で読み取り記憶した後、図８に示すように、受注受付処理装置４は、送信されたデータから、ＯＣＲ用受注シート毎の注文写真のリストを作成し、各写真駒毎に、できるだけソータのビン数内の受注シートで既作成のプリントが配付できるように適当な順で、ＯＣＲ用受注シートにその駒について発注しているかどうか判断し、発注していたら、それを見本プリントを配付する旨の内容の既作成に置き換え、既作成に置き換えられたプリント枚数の合計が見本プリント作成数になったら、次の写真駒に移ることを全ての写真駒について繰り返す。その後、プリント注文を複数の組に分割し、分割された組毎に、各写真駒毎の既作成に置き換えられなかった注文枚数の集計作業を行い、フロッピーディスクに、焼付枚数データとして焼付枚数データファイルＮＤＦを設定記憶する作業を行う。また、この焼付枚数データからプリント枚数データを作成し、フロッピーディスクに、プリント枚数データとして印字データファイルＩＤＦと仕分けデータファイルＳＤＦに設定記憶する。また、仕分けデータファイルＳＤＦの見本プリント用のファイルであることを示す識別子０を付けたファイルの内容が変更され、既作成の分の配付データとする。すなわち、分割された組毎に、写真番号と受注シートとの関係を記憶している。
【０１７２】
記憶媒体であるフロッピーディスクのファイル構造は実施例４と同様である。すなわち、フロッピーディスクには、図９に示すようなファイルが存在し、ファイル管理ファイルＦＣＦ、トレースデータファイルＴＤＦ、焼付データファイルＰＤＦ、焼付枚数データファイルＮＤＦ．０〜ｎ、印字データファイルＩＤＦ．０〜ｎ、仕分けデータファイルＳＤＦ．０〜ｎがある点は実施例４と同じである。ただ、焼付枚数データファイルＮＤＦの焼付枚数や印字データファイルＩＤＦと印字データファイルＩＤＦのプリント枚数が実施例４と比べて既作成の分だけ少ないのと、仕分けデータファイルＳＤＦの見本プリント用のファイルであることを示す識別子０を付けたファイルの内容が変更され、既作成の分の配付データとなる点で相違する。
【０１７３】
分割された組毎に、ソータで仕分けされた後に仕分けデータファイルＳＤＦ．０をパソコン４２２０で読み出し、既作成の分の配付データである写真番号と受注シートとの関係をモニタ上に表示させながら、既作成のプリントを各ソータのビンに人手で挿入して仕分けする。
【０１７４】
このような作業により、見本プリントに使用したプリントも含めて発注者に渡すことにより、無駄なプリントを作成することがない。
【０１７５】
（実施例６）
本実施例は実施例５の変形例であり、実施例５が、分割された組毎に、ソータで仕分けされた後に仕分けデータファイルＳＤＦ．０をパソコン４２２０で読み出し、既作成の分の配付データである写真番号と受注シートとの関係をモニタ上に表示させながら、既作成のプリントを各ソータのビンに人手で挿入して仕分けするのに対し、本実施例は、打ち出した既作成の分の配付データである写真番号と受注シートとの関係を示した表である既作成配付表を作成し、これに基づいて、袋に組み入れるものである。
【０１７６】
１オーダ全てのＯＣＲ用受注シートを注文内容読取装置１２で読み取り記憶した後、図８に示すように、受注受付処理装置４は、送信されたデータから、ＯＣＲ用受注シート毎の注文写真のリストを作成し、各写真駒毎に、できるだけソータのビン数内の受注シートで既作成のプリントが配付できるように適当な順で、ＯＣＲ用受注シートにその駒について発注しているかどうか判断し、発注していたら、それを見本プリントを配付する旨の内容の既作成に置き換え、その写真番号と受注シート番号とを既作成配付表に打ち出し、既作成に置き換えられたプリント枚数の合計が見本プリント作成数になったら、次の写真駒に移ることを全ての写真駒について繰り返す。その後、プリント注文を複数の組に分割し、分割された組毎に、各写真駒毎の既作成に置き換えられなかった注文枚数の集計作業を行い、フロッピーディスクに、焼付枚数データとして焼付枚数データファイルＮＤＦを設定記憶する作業を行う。また、焼付枚数データからプリント枚数データを作成し、フロッピーディスクに、プリント枚数データとして印字データファイルＩＤＦと仕分けデータファイルＳＤＦに設定記憶する。また、仕分けデータファイルＳＤＦの見本プリント用のファイルであることを示す識別子０を付けたファイルの内容の変更は行わない。従って、記憶媒体であるフロッピーディスクのファイル構造は実施例４と同じである。
【０１７７】
そして、袋詰めが終わった段階で、打ち出された写真番号と受注シート番号との関係を示す既作成配付表に基づき、順番に、既作成のプリントを各受注シート番号に対応する袋に人手で挿入して仕分ける。
【０１７８】
このような作業により、見本プリントに使用したプリントも含めて発注者に渡すことにより、無駄なプリントを作成することがない。
【０１７９】
（印字の変形例）
図１２に示すような印字の代わりに、ロールペーパーの各駒の表面に、複数の写真フィルムに跨がる一連の写真番号と共通の文字（図１２では『××小学校』）を、天地を合わせて、図２１に示すようなバリエーションの印字を行ってもよい。図２１の（Ａ）では、全体に枠取りをすると同時に印字用の白枠を写真の天地の下側に設けるようにペーパーマスク領域を設定し、共通の文字の印字領域を印字用の白枠内に左詰めし、写真番号の印字領域を右詰めにして、印字の向きを写真の天地と合わせるよう印字データを設定することで、作成できる。図２１の（Ｂ）では、印字用の白枠を写真の天地に係わらずプリントの下側に設けるようにペーパーマスク領域を設定し、共通の文字の印字領域を印字用の白枠内に左詰めし、写真番号の印字領域を右詰めにして、写真番号に対応するバーコードの印字領域を中央やや右よりの所定の領域にし、共通の文字と写真番号の印字の向きを写真の天地と合わせるように印字データを設定することにより作成できる。なお、バーコードの印字領域が所定の領域に印字されるので、自動的なバーコードの読取が可能となる。図２１（Ｃ）では、写真番号印字用の白枠を写真の天地に係わらずプリントの左上隅に設けるために、左上隅が内側に突き出たペーパーマスクを用い、印字用の白枠を写真の天地の下側に設けるようにペーパーマスク領域を設定し、共通の文字の印字領域を印字用の白枠内に左詰めし、写真番号の印字領域をプリントの左上隅の写真番号印字用の白枠内とし、共通の文字と写真番号の印字の向きを写真の天地と合わせるように印字データを設定することにより作成できる。図２１（Ｄ）では、印字用の白枠を写真の天地に係わらずプリントの下側に設けるようにペーパーマスク領域を設定し、写真番号は旗の中に囲まれた絵文字として、写真の天地の左上隅にプリント上の写真の上から印字するようにし、共通の文字の印字領域を印字用の白枠内に左詰めし、写真番号に対応するバーコードの印字領域を中央やや右よりの所定の領域にし、共通の文字と写真番号の印字の向きを写真の天地と合わせるように印字データを設定することにより作成できる。なお、バーコードの印字領域が所定の領域に印字されるので、自動的なバーコードの読取が可能となる。
【０１８０】
【発明の効果】
以下、本件出願に開示されている一般的発明を構成する各発明の効果を、一般的発明を構成する各発明毎に説明する。
【０１８１】
（第一発明）
本発明により、多数のプリント注文を複数の組に分割して、分割された組毎にプリントを作成するので、一括してプリント作業を行うのと比較して、後の仕分け作業が簡単であり、また、仕分け作業をソータで行うにしても、ソータのビンの数が小さいもので済むので、ソータを小型のもので済ませることができ、そして、多数のプリント注文を複数の組（複数の組の少なくとも１つの組は複数のプリント注文からなるのは言うまでもない。）に分割してプリント作業を行うので、多数のプリント注文をプリント注文毎にプリント作業するよりも、プリント作業が簡単である。
【０１８２】
また、従属項により、プリント注文小計と焼付条件を１つの記憶媒体に記憶させるので、プリント作成条件を求める作業とプリント注文の集計作業とプリントの作成作業との間に時間的ブランクが生じてもよく、そのため、プリント作成条件を求める作業とプリント注文の集計作業とプリントの作成作業とを連動させる必要がないので、全体としての生産効率の向上が図れ、また、その記憶媒体だけで焼付作業を行うことができる。また、同じ原稿に対して複数の記憶媒体から情報を得る場合の焼付時の記憶媒体の取り付け間違いを防止できる。
【０１８３】
（第二発明）
本発明により、分割された組の１組がソータのビン数以下のプリント注文となるように、複数の組に分割されているので、分割された組毎に作成されたプリントを、そのままソータにより、一度の仕分け作業で、プリント注文毎に仕分けることができ、プリント作業と仕分け作業を効率化できる。
【０１８４】
（第三発明）
本発明により、分割されたプリント注文により作成されたプリントが全て同じ順序で並んでいるので、その後工程の印字工程や仕分け工程や袋詰め工程などの作業性が向上する。
【０１８５】
（第四発明）
本発明により、プリント注文を分割しても、巻き戻しが不要なので、プリントを作成する速度はより高速になる。
【０１８６】
（第五発明）
本発明の方法により、記憶媒体に記憶させるので、プリント注文の集計作業とプリントの作成作業とプリントの仕分け作業との間に時間的ブランクが生じてもよく、そのため、プリント注文の集計作業とプリントの作成作業とプリントの仕分け作業とを連動させる必要がないので、全体としての生産効率の向上が図れる。また、転記ミスなどによるプリントの余りや不足の発生自体を少なくできるだけでなく、プリントの余りや不足の発生が明らかになった時に、その原因を明らかにして対応するための労力を少なくすることができる。
【０１８７】
本発明の設備により、同一の写真フィルムに関する多数のプリント注文を一括して集計する作業を自動化することにより、単に集計作業の高速化・安定化を図るだけでなく、その集計のために入力されたプリント注文情報に基づいてプリントを仕分けるので、プリントの余りや不足の発生自体非常に少なくなるだけでなく、プリントの余りや不足の発生が明らかになった時は、主原因は入力ミスだけになるので、その原因を明らかにして対応する労力を極めて少なくすることができる。
【０１８８】
（第六発明）
本発明により、単に人手によりデータ入力を行う際の入力ミスを機械化することで防止し、プリントの余りや不足の発生自体が少なくなるだけでなく、データ入力がどうであったか受注シートとして残るので、プリントの余りや不足が発生した場合の対応が容易になる。
【０１８９】
（第七発明）
本発明により、多数のプリント注文を、識別する作業と一括して集計する作業を自動化することにより、単に、プリント注文の識別作業と集計作業の高速化・安定化を図るだけでなく、その集計のために入力されたプリント注文情報に基づいてプリントを仕分けるので、プリントの余りや不足の発生自体非常に少なくなるだけでなく、プリントの余りや不足の発生が明らかになった時は、主原因は入力ミスだけになり、そして、入力内容が受注シートとして残っているので、その原因を明らかにして対応する労力を極めて少なくすることができる。
【０１９０】
（第八発明）
本発明により、１つの駒識別マークでプリントが多数本多数駒原稿のどの駒に対応するプリントであるかを識別できるので、多数本多数駒原稿に跨がる複数のプリント注文に仕分ける場合であっても、仕分け後の確認作業の作業性を改善できる。また、仕分け作業で駒識別マークを利用すれば仕分け作業の作業性も改善できる。
【０１９１】
（第九発明）
本発明により、写真の向きと文字の向きとを簡単に整合させることができる。
【０１９２】
（第十発明）
本発明により、写真の向きと枠の向きとを簡単に整合させることができる。
【０１９３】
（第十一発明）
本発明により、注文者は識別マークを書かなくても、識別マークに印を書き入れるだけでよく、注文者の注文作業が簡単であり、また、受注作業も光学的読取により自動化され、入力間違いなども発生しにくく、しかも、一連の識別マークが所定の配列で印刷されている所定の箇所の光学的読み取りは印の位置を読み取るだけなので、荒い読み取りで十分であり、光学的読み取りを高速にすることができる。
【図面の簡単な説明】
【図１】従来の学校・団体写真の作成業務の大まかな流れを示す図。
【図２】従来の見本パネルを示す図。
【図３】従来の見本プリント作成の流れを示す図。
【図４】従来の注文プリント作成の流れを示す図。
【図５】実施例の学校・団体写真の作成業務の大まかな流れを示す図。
【図６】実施例の見本プリント作成の流れを示す図。
【図７】実施例の注文プリント作成の流れを示す図。
【図８】実施例の受注シートとロールフィルムと焼付枚数ファイルとの関係を示す図。
【図９】実施例のフロッピーディスクのファイル構造を示す図。
【図１０】実施例の自動焼付機の構造を示す図。
【図１１】実施例の印字装置の概略図。
【図１２】実施例のプリントへの印字例を示す概略図。
【図１３】実施例のプリントカッタソーターの構成図。
【図１４】実施例のプリントカッタソーターの側面図。
【図１５】実施例の再プリント作成の流れを示す図。
【図１６】従来の写真注文袋を示す図。
【図１７】実施例のＯＭＲ用受注シートを示す図。
【図１８】実施例のＯＣＲ用受注シートを示す図。
【図１９】従来の仕分け作業を示す図。
【図２０】実施例の仕分け作業を示す図。
【図２１】印字のバリエーションを示す図。
【図２２】実施例の見本パネルを示す図。
【符号の説明】
Ｆ  フィルム
Ｐ  印画紙（ペーパー）
Ｒ  感熱転写用インクリボン
１６０１  ロールペーパー
１６２２  磁気記録媒体（フロッピーディスク）
２３０１  写真番号
２３０２  写真番号
２３０３  写真番号に対応するバーコード
２３０４  共通の文字
３００１  仕分けボックス
３０１０  作業者
３０２０  作業者
３０３０  脚立
４２１０  ソータ
【図１】
0003632136.tif 000002
【図２】
0003632136.tif 000003
【図３】
0003632136.tif 000004
【図４】
0003632136.tif 000005
【図５】
0003632136.tif 000006
【図６】
0003632136.tif 000007
【図７】
0003632136.tif 000008
【図８】
0003632136.tif 000009
【図９】
0003632136.tif 000010
【図１０】
0003632136.tif 000011
【図１１】
0003632136.tif 000012
【図１２】
0003632136.tif 000013
【図１３】
0003632136.tif 000014
【図１４】
0003632136.tif 000015
【図１５】
0003632136.tif 000016
【図１６】
0003632136.tif 000017
【図１７】
0003632136.tif 000018
【図１８】
0003632136.tif 000019
【図１９】
0003632136.tif 000020
【図２０】
0003632136.tif 000021
【図２１】
0003632136.tif 000022
【図２２】
0003632136.tif 000023